(57)【要約】セルラ通信システムのネットワーク・ノードに実装されるスケジューラの動作の方法は、１つ以上の個別の無線デバイスによる１つ以上の遅延トレラント送信をサブフレーム内にスケジューリングすることを有する。１つ以上の個別の無線デバイスによる１つ以上の遅延トレラント送信をスケジューリングすることは、各無線デバイスについて、サブフレーム内の複数の利用可能リソースを識別することと、サブフレーム内の識別された複数の利用可能リソースの各利用可能リソースについて、遅延センシティブ送信の送信を可能にするために、利用可能リソースを用いた遅延トレラント送信の予測パンクチャリングの統計モデルを表す情報に基づいて、無線デバイスについて１つ以上のリンク・アダプテーション・パラメータを決定することと、１つ以上のリンク・アダプテーション・パラメータのうちの少なくとも１つに基づいて、無線デバイスの遅延トレラント送信のためにサブフレーム内の複数の利用可能なリソースのうちの１つを選択することと、を含む。
2019509676.tif 000002
【特許請求の範囲】
【請求項１】
セルラ通信システムのネットワーク・ノードのためのスケジューラの動作の方法であって、
１つ以上の個別の無線デバイスによる１つ以上の遅延トレラント送信をサブフレーム内にスケジューリングすること（ステップ３００〜３１０）を有し、前記スケジューリングすることは、各無線デバイスについて、
前記サブフレーム内の複数の利用可能リソースを識別すること（ステップ３０２）と、
前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定すること（ステップ３０４）と、を含む、方法。
【請求項２】
請求項１に記載の方法であって、前記決定された１つ以上のリンク・アダプテーション・パラメータのうちの少なくとも１つに基づいて、前記無線デバイスの前記遅延トレラント送信のために前記サブフレーム内の前記識別された複数の利用可能リソースのうちの１つを選択すること（ステップ３０６）を更に有する方法。
【請求項３】
請求項１又は２に記載の方法であって、前記１つ以上の個別の無線デバイスによる１つ以上の遅延センシティブ送信を前記サブフレーム内にスケジューリングすることを更に有する方法。
【請求項４】
請求項３に記載の方法であって、前記１つ以上の遅延トレラント送信をスケジューリングするための前記複数の利用可能リソースは、前記遅延センシティブ送信がスケジューリングされる前記サブフレーム内のリソースを含まない、方法。
【請求項５】
請求項３又は４に記載の方法であって、前記１つ以上の遅延センシティブ送信を前記サブフレーム内にスケジューリングすることは、前記サブフレーム内にスケジューリングされる各遅延センシティブ送信について、
前記サブフレーム内に未使用のリソースが存在するかどうかを判定すること（ステップ１０２）と、
前記サブフレーム内に未使用のリソースが存在するならば、前記個別の無線デバイスによる前記遅延センシティブ送信のためのリソースとして、未使用のリソースを選択すること（ステップ１０４）と、
前記サブフレーム内に未使用のリソースが存在しないならば、前記遅延センシティブ送信のための前記リソースとして、遅延トレラント送信に既に割り当てられたリソースを選択すること（ステップ１０６）と、を含む方法。
【請求項６】
請求項５に記載の方法であって、前記遅延センシティブ送信のための前記リソースとして、前記遅延トレラント送信に既に割り当てられた前記リソースを選択すること（ステップ１０６）は、所定の基準に基づいて、前記遅延センシティブ送信のための前記リソースとして、遅延トレラント送信に既に割り当てられている前記サブフレーム内の複数のリソースのうちの１つを選択することを含む、方法。
【請求項７】
請求項５又は６に記載の方法であって、
前記遅延トレラント送信に割り当てられている前記サブフレーム内の前記リソースについてのパンクチャリング・レベルが所定の閾値よりも大きいかどうかを判定すること（ステップ１１０）と、
そうであるならば、前記遅延トレラント送信をキャンセルすること（ステップ１１２）と、を更に有する方法。
【請求項８】
セルラ通信ネットワークのための無線ノード（１４、１８）であって、
１つ以上の送信機（４８、６２）と、
１つ以上の受信機（５０、６４）と、
１つ以上のプロセッサ（４０、５６）と、
前記１つ以上のプロセッサによって実行可能な命令を格納するメモリ（４２、５８）と、を備え、前記無線ノードは、
１つ以上の個別の無線デバイスによる１つ以上の遅延トレラント送信をサブフレーム内にスケジューリングすること（ステップ３００〜３１０）を動作可能であり、前記スケジューリングすることは、各無線デバイスについて、
前記サブフレーム内の複数の利用可能リソースを識別すること（ステップ３０２）と、
前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定すること（ステップ３０４）と、を含む、無線ノード。
【請求項９】
請求項８に記載の無線ノードであって、前記１つ以上のプロセッサによる命令の実行によって、前記無線ノードは、前記決定された１つ以上のリンク・アダプテーション・パラメータのうちの少なくとも１つに基づいて、前記無線デバイスの前記遅延トレラント送信のために前記サブフレーム内の前記識別された複数の利用可能リソースのうちの１つを選択すること（ステップ３０６）を更に動作可能である、無線ノード。
【請求項１０】
請求項８又は９に記載の無線ノードであって、前記１つ以上のプロセッサによる前記命令の実行によって、前記無線ノードは、前記１つ以上の個別の無線デバイスによる１つ以上の遅延センシティブ送信を前記サブフレーム内にスケジューリングすることを更に動作可能である、無線ノード。
【請求項１１】
請求項１０に記載の無線ノードであって、前記複数の遅延トレラント送信をスケジューリングするための前記複数の利用可能リソースは、前記遅延センシティブ送信がスケジューリングされる前記サブフレーム内のリソースを含まない、無線ノード。
【請求項１２】
請求項１０又は１１に記載の無線ノードであって、前記１つ以上の遅延センシティブ送信を前記サブフレーム内にスケジューリングすることは、前記サブフレーム内にスケジューリングされる各遅延センシティブ送信について、
前記サブフレーム内に未使用のリソースが存在するかどうかを判定すること（ステップ１０２）と、
前記サブフレーム内に未使用のリソースが存在するならば、前記個別の無線デバイスによる前記遅延センシティブ送信のためのリソースとして、未使用のリソースを選択すること（ステップ１０４）と、
前記サブフレーム内に未使用のリソースが存在しないならば、前記遅延センシティブ送信のための前記リソースとして、前記遅延トレラント送信に既に割り当てられたリソースを選択すること（ステップ１０６）と、を含む無線ノード。
【請求項１３】
請求項１２に記載の無線ノードであって、前記遅延センシティブ送信のための前記リソースとして、前記遅延トレラント送信に既に割り当てられた前記リソースを選択することは、所定の基準に基づいて、前記遅延センシティブ送信のための前記リソースとして、前記遅延トレラント送信に既に割り当てられている前記サブフレーム内の複数のリソースのうちの１つを選択することを含む、無線ノード。
【請求項１４】
請求項１２又は１３に記載の無線ノードであって、前記１つ以上のプロセッサによる命令の実行によって、前記無線ノードは、
前記遅延トレラント送信に割り当てられている前記サブフレーム内のリソースについてのパンクチャリング・レベルが所定の閾値よりも大きいかどうかを判定すること（ステップ１０８、１１０）と、
そうであるならば、前記遅延トレラント送信をキャンセルすること（ステップ１１２）と、を更に動作可能である、無線ノード。
【請求項１５】
セルラ通信ネットワークのための無線ノード（１４、１８）であって、前記無線ノードは、
１つ以上の個別の無線デバイスによる１つ以上の遅延トレラント送信をサブフレーム内にスケジューリングすること（ステップ３００〜３１０）のために適合され、前記スケジューリングすることは、各無線デバイスについて、
前記サブフレーム内の複数の利用可能リソースを識別すること（ステップ３０２）と、
前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定すること（ステップ３０４）と、を含む、無線ノード。
【請求項１６】
セルラ通信ネットワークのための無線ノード（１４、１８）であって、
１つ以上の個別の無線デバイスによる１つ以上の遅延トレラント送信をサブフレーム内にスケジューリングするための手段を有し、前記手段は、
前記サブフレーム内の複数の利用可能リソースを識別するための手段と、
前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定するための手段と、を含む、無線ノード。
【請求項１７】
セルラ通信ネットワークのための無線ノード（１４、１８）あって、
１つ以上の個別の無線デバイスによる１つ以上の遅延トレラント送信をサブフレーム内にスケジューリングするように動作可能なスケジューリング・モジュール（５４、６８）を有し、前記第１スケジューリング・モジュールは、
前記サブフレーム内の複数の利用可能リソースを識別するように動作可能な識別モジュール（５４、６８）と、
前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定するように動作可能な決定モジュール（５４、６８）と、を含む、無線ノード。
【請求項１８】
無線ノード（１４、１８）の１つ以上のプロセッサ（４０、５６）によって実行された場合に、前記無線ノードに、
１つ以上の個別の無線デバイスによる１つ以上の遅延トレラント送信をサブフレーム内にスケジューリングすることを行わせるソフトウェア命令を格納する非一時的コンピュータ可読媒体であって、前記スケジューリングすることは、各無線デバイスについて、
前記サブフレーム内の複数の利用可能リソースを識別することと、
前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定することと、を含む、非一時的コンピュータ可読媒体。
【請求項１９】
少なくとも１つのプロセッサ（４０、５６）によって実行された場合に、請求項１乃至７の何れか１項に記載された方法を前記少なくとも１つのプロセッサに実行させる命令を有するコンピュータ・プログラム。
【請求項２０】
請求項１９に記載のコンピュータ・プログラムを有するキャリアであって、前記キャリアは、電気信号と、光信号と、無線信号と、コンピュータ可読記憶媒体と、のうちの１つである、キャリア。
【請求項２１】
送信機におけるスケジューリング及び／又はリンク・アダプテーションのための方法（ステップ４００〜４０８）であって、
通信サブフレーム内の通信リソースの集合から、個別の遅延トレラント通信に用いられるリソースの少なくとも１つの部分集合を割り当てること（ステップ４００）と、
リソースの前記少なくとも１つの部分集合のそれぞれについて、
パンクチャリングの個別の確率を決定すること（ステップ４０２）であって、パンクチャリングの前記確率は、リソースの前記部分集合が遅延センシティブ送信によってパンクチャリングされうる確率を含む、ことと、
前記決定されたパンクチャリングの確率に基づいて、前記個別の遅延トレラント通信について前記リンク・アダプテーションを変更すること（ステップ４０４）と、を有する方法。
【請求項２２】
請求項２１に記載の方法であって、パンクチャリングの前記確率が閾値レベルよりも低いならば、割り当てられる前記個別の遅延トレラント通信によるリソースの部分集合の再使用を引き起こすこと（ステップ５００〜５０６）を有する方法。
【請求項２３】
請求項２１又は２２に記載の方法であって、リソースの前記部分集合がパンクチャリングされうる前記確率を決定することは、リソースの当該部分集合についてパンクチャリング・イベントの予測回数を決定することを含む、方法。
【請求項２４】
請求項２１乃至２３の何れか１項に記載の方法であって、前記確率を決定することは、
履歴データと、
予測された将来データと、
識別された短期間又は長期間トレンドと、
予測された短期間又は長期間トレンドと、のうちの少なくとも１つに基づいて確率を決定することを含む、方法。
【請求項２５】
請求項２１乃至２４の何れか１項に記載の方法であって、リソースの各部分集合について、実際のパンクチャリング・イベントに関する情報を維持することを有する方法。
【請求項２６】
請求項２５に記載の方法であって、前記維持される情報は、パンクチャリングのためのリソースの部分集合の選択の間に使用される、方法。
【請求項２７】
請求項２５又は２６に記載の方法であって、パンクチャリング・イベントの前記予測回数に対する、パンクチャリング・イベントの前記実際の回数の比を決定することを有する方法。
【請求項２８】
請求項２７に記載の方法であって、パンクチャリングのためのリソースの前記部分集合を選択するために前記決定された比を使用することは、最小の比を有するリソースの部分集合をパンクチャリングのために選択することを含む、方法。
【請求項２９】
請求項２７又は２８に記載の方法であって、リソースの部分集合についての比が閾値を超えるかどうかを判定することと、当該判定に応じて、
リソースの当該判定に関連する前記個別の遅延トレラント通信をキャンセルすることと、
リソースの当該部分集合を、パンクチャリングのために利用可能と識別することと、を有する方法。
【請求項３０】
請求項２１乃至２９の何れか１項に記載の方法であって、前記リンク・アダプテーションを変更することは、
時間及び／又は周波数を選択することと、
プリコーダ・リソースを選択することと、
拡散コードを設定することと、
反復レベルを設定することと、
電力レベルを設定することと、
アグリゲーション・レベルを設定することと、
変調レベルを設定することと、
符号化レベルを設定することと、のうちの少なくとも１つを含む、方法。
【請求項３１】
セルラ通信ネットワークのための無線ノード（１４、１８）であって、
１つ以上の送信機（４８、６２）と、
１つ以上の受信機（５０、６４）と、
１つ以上のプロセッサ（４０、５６）と、
前記１つ以上のプロセッサによって実行可能な命令を格納するメモリ（４２、５８）と、を備え、前記無線ノードは、
通信サブフレーム内の通信リソースの集合から、個別の遅延トレラント通信に用いられるリソースの少なくとも１つの部分集合を割り当てることと、
リソースの前記少なくとも１つの部分集合のそれぞれについて、
パンクチャリングの個別の確率を決定することであって、パンクチャリングの前記確率は、リソースの前記部分集合が遅延センシティブ送信によってパンクチャリングされうる確率を含む、ことと、
前記決定されたパンクチャリングの確率に基づいて、前記個別の遅延トレラント通信についてリンク・アダプテーションを変更することと、を動作可能である、無線ノード。
【請求項３２】
請求項３１に記載の無線ノードであって、前記１つ以上のプロセッサによる命令の実行によって、前記無線ノードは、パンクチャリングの前記確率が閾値レベルよりも低いならば、割り当てられる前記個別の遅延トレラント通信によるリソースの部分集合の再使用を引き起こすことを更に動作可能である、無線ノード。
【請求項３３】
請求項３１又は３２に記載の無線ノードであって、リソースの前記部分集合がパンクチャリングされうる前記個別の確率を決定することは、リソースの当該部分集合についてパンクチャリング・イベントの予測回数を決定することを含む、無線ノード。
【請求項３４】
請求項３１乃至３３の何れか１項に記載の無線ノードであって、前記確率を決定することは、
履歴データと、
予測された将来データと、
識別された短期間又は長期間トレンドと、
予測された短期間又は長期間トレンドと、のうちの少なくとも１つに基づいて確率を決定することを含む、無線ノード。
【請求項３５】
請求項３１乃至３４の何れか１項に記載の無線ノードであって、前記１つ以上のプロセッサによる前記命令の実行によって、前記無線ノードは、リソースの各部分集合について、実際のパンクチャリング・イベントに関する情報を維持することを更に動作可能である、無線ノード。
【請求項３６】
請求項３５に記載の無線ノードであって、前記維持される情報は、パンクチャリングのためのリソースの部分集合の選択の間に使用される、無線ノード。
【請求項３７】
請求項３５又は３６に記載の無線ノードであって、前記１つ以上のプロセッサによる前記命令の実行によって、前記無線ノードは、パンクチャリング・イベントの前記予測回数に対する、パンクチャリング・イベントの前記実際の回数の比を決定することを更に動作可能である、無線ノード。
【請求項３８】
請求項３７に記載の無線ノードであって、パンクチャリングのためのリソースの前記部分集合を選択するために前記決定された比を使用することは、最小の比を有するリソースの部分集合を選択することを含む、無線ノード。
【請求項３９】
請求項３７又は３８に記載の無線ノードであって、前記１つ以上のプロセッサによる前記命令の実行によって、前記無線ノードは、リソースの部分集合についての比が閾値を超えるかどうかを判定することと、前記判定に応じて、リソースの当該判定に関連する前記個別の遅延トレラント通信をキャンセルすることと、リソースの当該部分集合を、パンクチャリングのために利用可能と識別することと、を更に動作可能である、無線ノード。
【請求項４０】
請求項３１乃至３９の何れか１項に記載の無線ノードであって、前記リンク・アダプテーションを変更することは、
時間及び／又は周波数を選択することと、
プリコーダ・リソースを選択することと、
拡散コードを設定することと、
反復レベルを設定することと、
電力レベルを設定することと、
アグリゲーション・レベルを設定することと、
変調レベルを設定することと、
符号化レベルを設定することと、のうちの少なくとも１つを含む、無線ノード。
【請求項４１】
セルラ通信ネットワークのための無線ノード（１４、１８）であって、前記無線ノードは、
通信サブフレーム内の通信リソースの集合から、個別の遅延トレラント通信に用いられるリソースの少なくとも１つの部分集合を割り当てること（ステップ４００）と、
リソースの前記少なくとも１つの部分集合のそれぞれについて、
パンクチャリングの個別の確率を決定すること（ステップ４０２）であって、パンクチャリングの前記確率は、リソースの前記部分集合が遅延センシティブ送信によってパンクチャリングされうる確率を含む、ことと、
前記決定されたパンクチャリングの確率に基づいて、前記個別の遅延トレラント通信についてリンク・アダプテーションを変更すること（ステップ４０４）と、のために適合される、無線ノード。
【請求項４２】
セルラ通信ネットワークのための無線ノード（１４、１８）であって、
通信サブフレーム内の通信リソースの集合から、個別の遅延トレラント通信に用いられるリソースの少なくとも１つの部分集合を割り当てるための手段と、
リソースの前記少なくとも１つの部分集合のそれぞれについて、
パンクチャリングの個別の確率を決定することであって、パンクチャリングの前記確率は、リソースの前記部分集合が遅延センシティブ送信によってパンクチャリングされうる確率を含む、ことと、
前記決定されたパンクチャリングの確率に基づいて、前記個別の遅延トレラント通信について前記リンク・アダプテーションを変更することと、のための手段と、を有する無線ノード。
【請求項４３】
セルラ通信ネットワークのための無線ノード（１４、１８）あって、
通信サブフレーム内の通信リソースの集合から、個別の遅延トレラント通信に用いられるリソースの少なくとも１つの部分集合を割り当てるように動作可能な割り当てモジュール（５４、６８）と、
リソースの前記少なくとも１つの部分集合のそれぞれについて、パンクチャリングの個別の確率を決定するように動作可能な決定モジュール（５４、６８）であって、パンクチャリングの前記確率は、リソースの前記部分集合が遅延センシティブ送信によってパンクチャリングされうる確率を含む、決定モジュールと、
前記決定されたパンクチャリングの確率に基づいて、前記個別の遅延トレラント通信についてリンク・アダプテーションを変更するように動作可能な変更モジュール（５４、６８）と、を有する無線ノード。
【請求項４４】
無線ノード（１４、１８）の１つ以上のプロセッサ（４０、５６）によって実行された場合に、前記無線ノードに、
通信サブフレーム内の通信リソースの集合から、個別の遅延トレラント通信に用いられるリソースの少なくとも１つの部分集合を割り当てること（ステップ４００）と、
リソースの前記少なくとも１つの部分集合のそれぞれについて、
パンクチャリングの個別の確率を決定すること（ステップ４０２）であって、パンクチャリングの前記確率は、リソースの前記部分集合が遅延センシティブ送信によってパンクチャリングされうる確率を含む、ことと、
前記決定されたパンクチャリングの確率に基づいて、前記個別の遅延トレラント通信についてリンク・アダプテーションを変更すること（ステップ４０４）と、を行わせるソフトウェア命令を格納する非一時的コンピュータ可読媒体。
【請求項４５】
少なくとも１つのプロセッサ（４０、５６）によって実行された場合に、請求項２１乃至３０の何れか１項に記載された方法を前記少なくとも１つのプロセッサに実行させる命令を有するコンピュータ・プログラム。
【請求項４６】
請求項４５に記載のコンピュータ・プログラムを有するキャリアであって、前記キャリアは、電気信号と、光信号と、無線信号と、コンピュータ可読記憶媒体と、のうちの１つである、キャリア。
【発明の詳細な説明】
【技術分野】
【０００１】
関連出願
この出願は、２０１６年２月１８日に出願された米国仮特許出願番号第６２／２９６，９３７号の利益を主張し、この開示は、その全体が参照によって本書に組み込まれる。
【０００２】
技術分野
この開示はマシンタイプ通信（ＭＴＣ）に関し、特にＭＴＣ上の遅延トレラント・セッション及び遅延センシティブ・セッションの共存を可能にすることに関する。
【背景技術】
【０００３】
所与の物理無線ネットワークを通じて様々なサービスが提供されうる。これらのサービスは完全に異なる要件を有しうる。例えば、危険な環境における製造機械の遠隔制御は、比較的小さな情報ペイロードに関連するかもしれないが、情報は非常に高い信頼性且つ非常に低いレイテンシで受信される必要がある。このタイプのサービスは、いわゆるクリティカル・マシンタイプ通信（Ｃ−ＭＴＣ）に関連する。同じ物理ネットワークはまた、地下の部屋のカーペット清浄度センサのようなデバイスの大量のコネクティビティをサポートするかもしれない。明らかに、センサ情報の通信は遅延センシティブではなく、Ｃ−ＭＴＣファミリーではなくマッシブＭＴＣ（Ｍ−ＭＴＣ）ファミリーに含まれる。さらに、両サービスは、物理リソースの集合を用いて同一の物理ネットワークを通じて提供されうる。明らかに、Ｍ−ＭＴＣのサポートを可能にしつつ、Ｃ−ＭＴＣ通信の高い信頼性を保証したいだろう。想像されるアプローチは、Ｃ−ＭＴＣサービスのためのリソースの可用性を十分に制御できるように、Ｃ−ＭＴＣサービスに排他的に利用可能であろう一部の周波数リソースを確保し予約することである。しばしば、このアプローチは（この例では周波数ドメインの）ハード・スライシングと呼ばれる。
【０００４】
それにもかかわらず、ハード・スライシングを行うことは何らかの不利益を有する。例えば、これは、結合（Ｃ−ＭＴＣ及び他のサービス・タイプに組み合わされる）実現可能システム容量を減らす。究極的に、やりたいことは、適切に準備されたサービスレベル・アグリーメントに記載されうるような何らかのレベルの公平性を保証しつつ、十分にリソースを共有し、サービス・プリファレンスを効率的に管理することである。このように、システムが全てのサービス・タイプによって低負荷ならば、リソース共有はハード・スライシングへフォールバックするが、システムが過負荷の場合に、すべてのシステム・リソースは任意のサービス・タイプによってアクセス可能でありうる。すべてのサービスによるすべてのリソースへのアクセスは本書でソフト・スライシングと呼ばれる。
【０００５】
ソフト・スライシングを行うことは、単純ではない。Ｍ−ＭＴＣ通信は、カバレッジを拡張するための反復のために比較的長い送信間隔を効率的に使用しうる（すなわち、複数の反復は結果として、反復を用いない場合の典型的な送信間隔と比較して長い効率的な送信間隔を生じる）が、Ｃ−ＭＴＣ通信は通信の時間クリティカリティのために非常に短い送信間隔を典型的に使用しうる。したがって、周波数リソースの大半でＭ−ＭＴＣ送信がスケジューリングされるならば、非常に短い期間であるが即時のリソース・アクセスを必要とする一部のＣ−ＭＴＣセッションには受け入れられない長い期間、リソースを事実上利用不可能にしうる。よって、このようなソフト・スライシング・アプローチでＣ−ＭＴＣトラフィックについて所定のレベルのサービス品質を保証することは非常に難しい。
【０００６】
したがって、遅延トレラント・セッション及び遅延センシティブ・セッションの改善した共存のための方法が必要である。
【発明の概要】
【０００７】
本書に記載される主題の側面によれば、セルラ通信システムのネットワーク・ノードに実装されるスケジューラの動作の方法が提供される。１つの実施形態で、前記方法は、１つ以上の個別の無線デバイスによる１つ以上の遅延トレラント送信をサブフレーム内にスケジューリングすることを有する。前記１つ以上の個別の無線デバイスによる前記１つ以上の遅延トレラント送信をスケジューリングすることは、各無線デバイスについて、サブフレーム内の複数の利用可能リソースを識別することと、前記サブフレーム内の前記複数の利用可能リソースの各利用可能リソースについて、遅延センシティブ送信の送信を可能にするために、前記利用可能リソースを用いた遅延トレラント送信の予測パンクチャリングを表す情報に基づいて、前記利用可能なリソースについて前記無線デバイスについて１つ以上のリンク・アダプテーション・パラメータを決定することと、を含む。１つの実施形態で、前記方法は、前記１つ以上のリンク・アダプテーション・パラメータのうちの少なくとも１つに基づいて、前記無線デバイスの前記遅延トレラント送信のために前記サブフレーム内の前記複数の利用可能リソースのうちの１つを選択することを更に有する。
【０００８】
１つの実施形態で、前記方法は、１つ以上の個別の無線デバイスによる１つ以上の遅延センシティブ送信を前記サブフレーム内にスケジューリングすることを更に有する。１つの実施形態で、前記複数の遅延トレラント送信をスケジューリングするための前記複数の利用可能リソースは、前記遅延センシティブ送信がスケジューリングされる前記サブフレーム内のリソースを含まない。１つの実施形態で、前記１つ以上の遅延センシティブ送信を前記サブフレーム内にスケジューリングすることは、前記サブフレーム内にスケジューリングされる各遅延センシティブ送信について、前記サブフレーム内に未使用のリソースが存在するかどうかを判定することと、前記サブフレーム内に未使用のリソースが存在するならば、前記個別の無線デバイスによる前記遅延センシティブ送信のためのリソースとして、未使用のリソースを選択することと、を含む。前記サブフレーム内に未使用のリソースが存在しないならば、前記遅延センシティブ送信のための前記リソースとして、遅延トレラント送信に既に割り当てられたリソースが選択される。１つの実施形態で、前記遅延センシティブ送信のための前記リソースとして、遅延トレラント送信に既に割り当てられた前記リソースを選択することは、所定の基準に基づいて、前記遅延センシティブ送信のための前記リソースとして、遅延トレラント送信に既に割り当てられている前記サブフレーム内の複数のリソースのうちの１つを選択することを含む。
【０００９】
１つの実施形態で、前記方法は、前記遅延トレラント送信に割り当てられている前記サブフレーム内のリソースについてのパンクチャリング・レベルが所定の閾値よりも大きいかどうかを判定することと、そうであるならば、前記遅延トレラント送信をキャンセルすることと、を更に有する。
【００１０】
本書に記載される主題の別の側面によれば、セルラ通信ネットワークのための無線ノードが提供される。１つの実施形態で、前記無線ノードは、１つ以上の送信機と、１つ以上の受信機と、１つ以上のプロセッサと、前記１つ以上のプロセッサによって実行可能な命令を格納するメモリと、を備える。前記無線ノードは、１つ以上の個別の無線デバイスによる１つ以上の遅延トレラント送信をサブフレーム内にスケジューリングすることを動作可能である。前記スケジューリングすることは、各無線デバイスについて、前記サブフレーム内の複数の利用可能リソースを識別することと、前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定することと、を含む。
【００１１】
１つの実施形態で、前記無線ノードであって、前記１つ以上のプロセッサによる命令の実行によって、前記決定された１つ以上のリンク・アダプテーション・パラメータのうちの少なくとも１つに基づいて、前記無線デバイスの前記遅延トレラント送信のために前記サブフレーム内の前記識別された複数の利用可能リソースのうちの１つを選択することを更に動作可能である。１つの実施形態で、前記無線ノードは、前記１つ以上のプロセッサによる命令の実行によって、前記１つ以上の個別の無線デバイスによる１つ以上の遅延センシティブ送信を前記サブフレーム内にスケジューリングすることを更に動作可能である。１つの実施形態で、前記複数の遅延トレラント送信をスケジューリングするための前記複数の利用可能リソースは、前記遅延センシティブ送信がスケジューリングされる前記サブフレーム内のリソースを含まない。
【００１２】
１つの実施形態で、前記１つ以上の遅延センシティブ送信を前記サブフレーム内にスケジューリングすることは、前記サブフレーム内にスケジューリングされる各遅延センシティブ送信について、前記サブフレーム内に未使用のリソースが存在するかどうかを判定することを含む。前記サブフレーム内に未使用のリソースが存在するならば、前記無線ノードは、前記個別の無線デバイスによる前記遅延センシティブ送信のためのリソースとして、未使用のリソースを選択する。前記サブフレーム内に未使用のリソースが存在しないならば、前記無線ノードは、前記遅延センシティブ送信のための前記リソースとして、遅延トレラント送信に既に割り当てられたリソースを選択する。
【００１３】
１つの実施形態で、前記遅延センシティブ送信のための前記リソースとして、前記遅延トレラント送信に既に割り当てられた前記リソースを選択することは、所定の基準に基づいて、前記遅延センシティブ送信のための前記リソースとして、遅延トレラント送信に既に割り当てられている前記サブフレーム内の複数のリソースのうちの１つを選択することを含む。
【００１４】
１つの実施形態で、前記無線ノードは、前記１つ以上のプロセッサによる命令の実行によって、遅延トレラント送信に割り当てられている前記サブフレーム内のリソースについてのパンクチャリング・レベルが所定の閾値よりも大きいかどうかを判定することと、そうであるならば、前記遅延トレラント送信をキャンセルすることと、を更に動作可能である。
【００１５】
本書に記載される主題の別の側面によれば、セルラ通信ネットワークのための無線ノードが提供される。１つの実施形態で、前記無線ノードは、１つ以上の個別の無線デバイスによる１つ以上の遅延トレラント送信をサブフレーム内にスケジューリングすることのために適合される。前記スケジューリングすることは、各無線デバイスについて、前記サブフレーム内の複数の利用可能リソースを識別することと、前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定することと、を含む。
【００１６】
本書に記載される主題の別の側面によれば、セルラ通信ネットワークのための無線ノードが提供される。１つの実施形態で、前記無線ノードは、１つ以上の個別の無線デバイスによる１つ以上の遅延トレラント送信をサブフレーム内にスケジューリングするための手段を有する。１つの実施形態で、前記スケジューリングするための手段は、前記サブフレーム内の複数の利用可能リソースを識別するための手段と、前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定するための手段と、を含む。
【００１７】
本書に記載される主題の別の側面によれば、セルラ通信ネットワークのための無線ノードが提供される。前記無線ノードは、１つ以上の個別の無線デバイスによる１つ以上の遅延トレラント送信をサブフレーム内にスケジューリングするように動作可能な第１スケジューリング・モジュールを有する。１つの実施形態で、前記第１スケジューリング・モジュールは、前記サブフレーム内の複数の利用可能リソースを識別するように動作可能な第２識別モジュールと、前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定するように動作可能な第３決定モジュールと、を含む。
【００１８】
本書に記載される主題の別の側面によれば、非一時的コンピュータ可読媒体が提供される。前記非一時的コンピュータ可読媒体は、無線ノードの１つ以上のプロセッサによって実行された場合に、前記無線ノードに、１つ以上の個別の無線デバイスによる１つ以上の遅延トレラント送信をサブフレーム内にスケジューリングすることを行わせるソフトウェア命令を格納する。１つの実施形態で、前記スケジューリングすることは、各無線デバイスについて、前記サブフレーム内の複数の利用可能リソースを識別することと、前記識別された複数の利用可能リソースの各利用可能リソースについて、遅延センシティブ送信の送信を可能にするために、前記利用可能リソースを用いた遅延トレラント送信の予測パンクチャリングを表す情報に基づいて、前記無線デバイスについて１つ以上のリンク・アダプテーション・パラメータを決定することと、を含む。
【００１９】
本書に記載される主題の別の側面によれば、少なくとも１つのプロセッサによって実行された場合に、請求項１乃至７の何れか１項に記載された方法を前記少なくとも１つのプロセッサに実行させる命令を有するコンピュータ・プログラムが提供される。本書に記載される主題の別の側面によれば、前記コンピュータ・プログラムはキャリアを有し、前記キャリアは、電気信号と、光信号と、無線信号と、コンピュータ可読記憶媒体と、のうちの１つである。
【００２０】
本書に記載される主題の別の側面によれば、セルラ通信システムのネットワークノードに実装されるスケジューラの動作の別の方法が提供される。１つの実施形態によれば、前記方法は、通信サブフレーム内の通信リソースの集合から、個別の遅延トレラント通信に用いられるリソースの少なくとも１つの部分集合を割り当てることを有する。前記方法は、リソースの前記少なくとも１つの部分集合のそれぞれについて、パンクチャリングの個別の確率を決定することであって、パンクチャリングの前記確率は、リソースの前記部分集合が遅延センシティブ送信によってパンクチャリングされうる確率を含む、ことと、前記決定されたパンクチャリングの確率に基づいて、前記個別の遅延トレラント通信について前記リンク・アダプテーションを変更することと、を有する。
【００２１】
１つの実施形態で、前記方法は、パンクチャリングの前記確率が閾値レベルよりも低いならば、割り当てられる前記個別の遅延トレラント通信によるリソースの部分集合の再使用を引き起こすことを有する。１つの実施形態で、リソースの前記部分集合がパンクチャリングされうる前記確率を決定することは、リソースの当該部分集合についてパンクチャリング・イベントの予測回数を決定することを含む。１つの実施形態で、前記確率を決定することは、履歴データと、予測された将来データと、識別された短期間又は長期間トレンドと、及び／又は予測された短期間又は長期間トレンドと、に基づいて確率を決定することを含む。
【００２２】
１つの実施形態で、前記方法は、リソースの各部分集合について、実際のパンクチャリング・イベントに関する情報を維持することを有する。１つの実施形態で、前記維持される情報は、パンクチャリングのためのリソースの部分集合の選択の間に使用される。１つの実施形態で、前記方法は、パンクチャリング・イベントの前記予測回数に対する、パンクチャリング・イベントの前記実際の回数の比を決定することを有する。１つの実施形態で、パンクチャリングのためのリソースの部分集合を選択するために前記決定された比を使用することは、最小の比を有するリソースの部分集合をパンクチャリングのために選択することを含む。
【００２３】
１つの実施形態で、前記方法は、リソースの部分集合についての比が閾値を超えるかどうかを判定することと、このような判定に応じて、リソースの当該判定に関連する前記個別の遅延トレラント通信をキャンセルすることと、リソースの当該部分集合を、パンクチャリングのために利用可能と識別することと、を有する。
【００２４】
１つの実施形態で、前記リンク・アダプテーションを変更することは、時間及び／又は周波数を選択することと、プリコーダ・リソースを選択することと、拡散コードを設定することと、反復レベルを設定することと、電力レベルを設定することと、アグリゲーション・レベルを設定することと、変調レベルを設定することと、及び／又は符号化レベルを設定することと、を含む。
【００２５】
本書に記載される主題の別の側面によれば、セルラ通信ネットワークのための無線ノードが提供される。１つの実施形態で、前記無線ノードは、１つ以上の送信機と、１つ以上の受信機と、１つ以上のプロセッサと、前記１つ以上のプロセッサによって実行可能な命令を格納するメモリと、を備える。前記無線ノードは、通信サブフレーム内の通信リソースの集合から、個別の遅延トレラント通信に用いられるリソースの少なくとも１つの部分集合を割り当てることを動作可能である。リソースの前記少なくとも１つの部分集合のそれぞれについて、前記無線ノードは、パンクチャリングの個別の確率を決定することであって、パンクチャリングの前記確率は、リソースの前記部分集合が遅延センシティブ送信によってパンクチャリングされうる確率を含む、ことと、前記決定されたパンクチャリングの確率に基づいて、前記個別の遅延トレラント通信について前記リンク・アダプテーションを変更することと、を動作可能である。
【００２６】
１つの実施形態で、前記無線ノードは、前記１つ以上のプロセッサによる命令の実行によって、パンクチャリングの前記確率が閾値レベルよりも低いならば、割り当てられる前記個別の遅延トレラント通信によるリソースの部分集合の再使用を引き起こすことを更に動作可能である。１つの実施形態で、リソースの前記部分集合がパンクチャリングされうる前記個別の確率を決定することは、リソースの当該部分集合についてパンクチャリング・イベントの予測回数を決定することを含む。１つの実施形態で、前記確率を決定することは、履歴データと、予測された将来データと、識別された短期間又は長期間トレンドと、及び／又は予測された短期間又は長期間トレンドと、に基づいて確率を決定することを含む。
【００２７】
１つの実施形態で、前記無線ノードは、前記１つ以上のプロセッサによる前記命令の実行によって、リソースの各部分集合について、実際のパンクチャリング・イベントに関する情報を維持することを更に動作可能である。１つの実施形態で、前記維持される情報は、パンクチャリングのためのリソースの部分集合の選択の間に使用される。
【００２８】
１つの実施形態で、前記無線ノードは、前記１つ以上のプロセッサによる命令の実行によって、パンクチャリング・イベントの前記予測回数に対する、パンクチャリング・イベントの前記実際の回数の比を決定することを更に動作可能である。１つの実施形態で、パンクチャリングのためのリソースの部分集合を選択するために前記決定された比を使用することは、最小の比を有するリソースの部分集合をパンクチャリングのために選択することを含む。
【００２９】
１つの実施形態で、前記無線ノードは、前記１つ以上のプロセッサによる命令の実行によって、リソースの部分集合についての比が閾値を超えるかどうかを判定することと、このような判定に応じて、リソースの当該判定に関連する前記個別の遅延トレラント通信をキャンセルすることと、リソースの当該部分集合を、パンクチャリングのために利用可能と識別することと、を更に動作可能である。１つの実施形態で、前記リンク・アダプテーションを変更することは、時間及び／又は周波数を選択することと、プリコーダ・リソースを選択することと、拡散コードを設定することと、反復レベルを設定することと、電力レベルを設定することと、アグリゲーション・レベルを設定することと、変調レベルを設定することと、及び／又は符号化レベルを設定することと、を含む。
【００３０】
本書に記載される主題の別の側面によれば、セルラ通信ネットワークのための無線ノードが提供される。１つの実施形態で、前記無線ノードは、通信サブフレーム内の通信リソースの集合から、個別の遅延トレラント通信に用いられるリソースの少なくとも１つの部分集合を割り当てることのために適合される。リソースの前記少なくとも１つの部分集合のそれぞれについて、前記無線ノードは、パンクチャリングの個別の確率を決定することであって、パンクチャリングの前記確率は、リソースの前記部分集合が遅延センシティブ送信によってパンクチャリングされうる確率を含む、ことと、前記決定されたパンクチャリングの確率に基づいて、前記個別の遅延トレラント通信についてリンク・アダプテーションを変更することと、のために適合される。
【００３１】
本書に記載される主題の別の側面によれば、セルラ通信ネットワークのための無線ノードが提供される。１つの実施形態で、前記無線ノードは、通信サブフレーム内の通信リソースの集合から、個別の遅延トレラント通信に用いられるリソースの少なくとも１つの部分集合を割り当てるための手段を有する。前記無線ノードは、リソースの前記少なくとも１つの部分集合のそれぞれについて、パンクチャリングの個別の確率を決定することであって、パンクチャリングの前記確率は、リソースの前記部分集合が遅延センシティブ送信によってパンクチャリングされうる確率を含む、ことと、前記決定されたパンクチャリングの確率に基づいて、前記個別の遅延トレラント通信についてリンク・アダプテーションを変更することと、のための手段を更に有する。
【００３２】
本書に記載される主題の別の側面によれば、セルラ通信ネットワークのための無線ノードが提供される。１つの実施形態で、前記無線ノードは、通信サブフレーム内の通信リソースの集合から、個別の遅延トレラント通信に用いられるリソースの少なくとも１つの部分集合を割り当てるように動作可能な第１割り当てモジュールを有する。前記無線ノードは、リソースの前記少なくとも１つの部分集合のそれぞれについて、パンクチャリングの個別の確率を決定するように動作可能な第２決定モジュールであって、パンクチャリングの前記確率は、リソースの前記部分集合が遅延センシティブ送信によってパンクチャリングされうる確率を含む、第２決定モジュールを更に有する。前記無線ノードは、前記決定されたパンクチャリングの確率に基づいて、前記個別の遅延トレラント通信について前記リンク・アダプテーションを変更するように動作可能な第３変更モジュールを更に有する。
【００３３】
本書に記載される主題の別の側面によれば、非一時的コンピュータ可読媒体が提供される。前記非一時的コンピュータ可読媒体は、無線ノードの１つ以上のプロセッサによって実行された場合に、前記無線ノードに、通信サブフレーム内の通信リソースの集合から、個別の遅延トレラント通信に用いられるリソースの少なくとも１つの部分集合を割り当てることを行わせるソフトウェア命令を格納する。リソースの前記少なくとも１つの部分集合のそれぞれについて、前記無線ノードは、パンクチャリングの個別の確率を決定することであって、パンクチャリングの前記確率は、リソースの前記部分集合が遅延センシティブ送信によってパンクチャリングされうる確率を含む、ことと、前記決定されたパンクチャリングの確率に基づいて、前記個別の遅延トレラント通信についてリンク・アダプテーションを変更することと、を行う。
【００３４】
本書に記載される主題の別の側面によれば、少なくとも１つのプロセッサによって実行された場合に、請求項２１乃至３０の何れか１項に記載された方法を前記少なくとも１つのプロセッサに実行させる命令を有するコンピュータ・プログラムが提供される。
【００３５】
本書に記載される主題の別の側面によれば、前記コンピュータ・プログラムはキャリアを有し、前記キャリアは、電気信号と、光信号と、無線信号と、及び／又はコンピュータ可読記憶媒体と、である。
【００３６】
本開示の一部の実施形態に係るソリューションは、反復又は高い集約レベルを通じてカバレッジ拡張で遅延クリティカル・セッション及び遅延トレラント・セッションをサポートするために同じ物理リソースを共有する仮想ネットワークの拡張した容量を可能にしうる。
【００３７】
モノのインターネット（ＩｏＴ）市場は近い将来、爆発的に成長することが予測され、移動体事業者は、物理リソースの所与の集合を共有する複数の仮想ネットワークでこれらの混在トラフィック・タイプをサポートすることを狙っている。本開示の一部の実施形態によるソリューションは、この成長を促進しうる。
【００３８】
当業者は、添付の図面に関連して実施形態の以下の詳細な記載を読んだ後に、本開示の範囲を理解し、その追加の側面を認識するだろう。
【図面の簡単な説明】
【００３９】
この明細書に組み込まれその一部を形成する添付の図面は、本開示の原理を説明する役割を果たす記載とともに、本開示の一部の側面を説明する。
【００４０】
【図１】パンクチャリング確率行列（ＰＰＭ）の概念を説明する。
【００４１】
【図２】本開示の１つの実施形態に従うセルラ通信システムの１つの非限定的な例を説明する。
【００４２】
【図３】本開示の実施形態に従う機能を提供するように動作するスケジューラ及びＰＰＭ生成器を説明するブロック図である。
【００４３】
【図４】本開示の一部の実施形態に従う図３のスケジューラのクリティカル・マシンタイプ通信（Ｃ−ＭＴＣ）送信スケジューリング・サブプロセスの動作を説明するフロー図である。
【００４４】
【図５】本開示の一部の実施形態に従う図３のスケジューラの既存のマッシブ・マシンタイプ通信（Ｍ−ＭＴＣ）送信スケジューリング・サブプロセスの動作を説明するフロー図である。
【００４５】
【図６】本開示の一部の実施形態に従う図３のスケジューラの新規のＭ−ＭＴＣ送信スケジューリング・サブプロセスの動作を説明するフロー図である。
【００４６】
【図７】本開示の一部の実施形態に従う基地局のブロック図である。
【図８】本開示の一部の実施形態に従う基地局のブロック図である。
【００４７】
【図９】本開示の一部の実施形態に従う無線デバイスのブロック図である。
【図１０】本開示の一部の実施形態に従う無線デバイスのブロック図である。
【００４８】
【図１１】本開示の一部の実施形態に従う送信機におけるスケジューリング及び／又はリンク・アダプテーションの方法を説明するフロー図である。
【００４９】
【図１２】本開示の一部の実施形態に従う遅延トレラント通信に割り当てられたリソースの部分集合の再使用の方法を説明するフロー図である。
【発明を実施するための形態】
【００５０】
以下に説明される実施形態は、当業者が実施形態を実施できるようにし、実施形態の最良の実施モードを説明するための情報を提示する。添付の図面に照らして以下の説明を読むと、当業者は本開示の概念を理解し、本書に具体的に説明されない概念の応用を認識するだろう。これらの概念及び応用が本開示及び添付の特許請求の範囲に含まれることが理解されるべきである。
【００５１】
この開示はマシンタイプ通信（ＭＴＣ）に関し、特に本書でそれぞれマッシブ・マシンタイプ通信（Ｍ−ＭＴＣ）及びクリティカル・マシンタイプ通信（Ｃ−ＭＴＣ）と呼ばれるＭＴＣ上の遅延トレラント・セッション及び遅延クリティカル・セッションの共存を可能にすることに関する。具体的に、本開示は、リンク・アダプテーションを通じたカバレッジ拡張（ＣＥ）に関し、リンク・アダプテーションは、制限なしに、電力制御、変調・符号化、反復などの設定又は変更のような動作のうちの任意の１つ又は組み合わせを含んでもよい。情報の反復は、カバレッジ拡張を実現するための主な技術である。ＭＴＣ対応物理下りリンク制御チャネル（Ｍ−ＰＤＣＣＨ）、物理報知チャネル（ＰＢＣＨ）、物理下りリンク共有チャネル（ＰＤＳＣＨ）、物理上りリンク制御チャネル（ＰＵＣＣＨ）、物理上りリンク共有チャネル（ＰＵＳＣＨ）及び物理ランダム・アクセス・チャネル（ＰＲＡＣＨ）並びに同様の方法で動作しうる任意の他のチャネルのようなカバレッジ拡張したユーザ機器デバイス（ＵＥ）で利用可能なすべての物理チャネルに対して用いられうる。このような反復技術の一部の側面で、各送信について、送信時間間隔（ＴＴＩ）のような複数の送信リソース上で情報が反復される。適切なリンク・アダプテーションを選択するために、特に反復を通じたカバレッジ拡張で遅延トレラント・トラフィックに割り当てられた少数のリソースを、より遅延クリティカル・トラフィックに再割り当てするためにパンクチャリング／上書きする確率を予測する目的で、統計的トラフィック・アクティビティ予測を含むいくつかの要因が検討されうる。本書に記載される概念は、周波数分割複信（ＦＤＤ）及び動的フレキシブル時分割複信（ＴＤＤ）システムの両方に適用されうる。
【００５２】
本書で用いられるように、「無線ノード」は無線アクセス・ノード又は無線デバイスの何れかである。無線ノードは、単一の物理位置に集中されてもよく、複数の物理位置にわたって分散されてもよい。
【００５３】
本書で用いられるように、「無線アクセス・ノード」は、無線で信号を送信及び／又は受信するように動作するセルラ通信ネットワークの無線アクセス・ネットワーク内の任意のノードである。無線アクセス・ノードの一部の例は、基地局（例えば、第３世代パートナシップ・プロジェクト（３ＧＰＰ）ロング・ターム・エボリューション（ＬＴＥ）ネットワーク内のエンハンスト又は発展型ノードＮＢ（ｅＮＢ））と、高電力又はマクロ基地局と、低電力基地局（例えば、マイクロ基地局、ピコ基地局、ホームｅＮＢなど）と、リレー・ノードと、アクセス・ポイントと、を含むがこれらに限定されない。
【００５４】
本書で用いられるように、「無線デバイス」は、１つ以上の無線アクセス・ノードへ信号を無線で送信／受信することによって、セルラ通信ネットワークへアクセスできる（すなわち、サービス提供を受ける）任意のタイプのデバイスである。無線デバイスの一部の例は３ＧＰＰ  ＬＴＥネットワーク内のＵＥと、ＭＴＣデバイスと、を含むがこれらに限定されない。
【００５５】
本書で用いられるように、「ネットワーク・ノード」は、セルラ通信ネットワーク／システムの無線アクセス・ネットワーク又はコア・ネットワークの何れかの部分である任意のノードである。ネットワーク・ノードは、単一の物理位置に集中されてもよく、複数の物理位置にわたって分散されてもよい。
【００５６】
本書で与えられる説明は３ＧＰＰ  ＬＴＥセルラ通信システム（又は３ＧＰＰ  ＬＴＥセルラ通信システムの将来の世代）に焦点を当てるが、このようなものとして、３ＧＰＰ  ＬＴＥ技術、又は３ＧＰＰ  ＬＴＥ技術に類似する技術がしばしば用いられることに留意されたい。しかし、本書に開示される概念は３ＧＰＰ  ＬＴＥシステムに限定されない。
【００５７】
本書の説明において、「セル」という用語への参照がなされうることに留意されたい。しかし、特に５世代（５Ｇ）コンセプトに関して、セルの代わりにビームが用いられてもよく、このようなものとして、本書に記載された概念がセルとビームとの両方に等しく適用可能であることに留意することが重要である。
【００５８】
ハード・スライシングを行うことは不都合を有し、ソフト・スライシングを行うことは簡単ではないことが上述された。典型的に、一部のサービス・レベル保証は、ソフト・スライシング・アプローチの下で動作するＣ−ＭＴＣ及びＭ−ＭＴＣサービスについて強制される必要があるだろう。Ｃ−ＭＴＣについて、トラフィック・プロファイルが（セッション数、セッション・ペイロード及び時間／周波数／空間におけるセッション分散などに関する）所定の基準を満たす限り、低遅延アクセスが保証される。これは、所与の短い時間間隔について、ソフト・スライシングで管理されたセルのすべての無線リソースへの「瞬時」アクセスへと変換されるが、無線リソースの合意された長期間平均比がＭ−ＭＴＣに平均で提供されることを常に保証するだろう。高いＭ−ＭＴＣ負荷及び相当ではあるが予測不能なバーストＣ−ＭＴＣトラフィックで、Ｃ−ＭＴＣトラフィックに押し込むためにＭ−ＭＴＣトラフィックをパンクチャリングできることの利点は、システム容量を最大化するために明らかになる。
【００５９】
異なるレベルの遅延トレランス及び反復を有する複数のサービス・タイプについて物理リソースを共有することは、動的ＴＤＤシングル・バンド・システムでは更に難しい。このようなシステムについて、上りリンク又は下りリンクＣ−ＭＴＣ送信をスケジューリングするために、Ｍ−ＭＴＣ送信をパンクチャリングすることが必要だろう。
【００６０】
下りリンクＭ−ＭＴＣ送信がパンクチャリングされるならば、これは下りリンク送信を劣化させるかもしれず、結果として下りリンク送信の失敗になりうる。例えば、低電力Ｍ−ＭＴＣデバイスについて、送信がＭ−ＭＴＣデバイスによって正しく受信されることを保証するために、同じ下りリンク送信を当該Ｍ−ＭＴＣデバイスへ複数回送信する必要がありうる。Ｍ−ＭＴＣデバイスへのこのような反復送信をパンクチャリングすることは、当該Ｍ−ＭＴＣデバイスによって受信される送信のコピー数を低減し、これによって、意図された下りリンク送信を決定又は再構築するために十分なデータをＭ−ＭＴＣデバイスが有していないために下りリンク送信が最終的に成功しないことにつながりうる。
【００６１】
上りリンクＭ−ＭＴＣ送信がパンクチャリングされるならば、これは新たな難点を生じる。例えば、低電力Ｍ−ＭＴＣデバイスについて、当該Ｍ−ＭＴＣデバイスは、明示的な上りリンク許可を毎回受信する必要なしに、上りリンク送信を複数回送信するための許可が与えられうる。このようなデバイスは、上りリンク許可を待たずに、又は更にはこれをリッスンすることなく、上りリンク送信を反復して送信するかもしれず、Ｃ−ＭＴＣ送信がこれらのリソースを占有できるようにこのようなデバイスが自身の上りリンク送信を停止すべきことを通知する方法がないかもしれない。このシナリオで、Ｍ−ＭＴＣが同じリソースを用いて自身の上りリンク送信をブラインド送信し続けている間に、Ｃ−ＭＴＣは下りリンク送信を送信するかもしれない。結果として生じる干渉は、結果として、Ｍ−ＭＴＣ送信が成功せず、おそらくはＣ−ＭＴＣ送信も成功しないことになりうる。
【００６２】
このシナリオの予想では、重度に干渉された上りリンクＭ−ＭＴＣ送信は、例えばリソースの部分集合がノイズ（すなわち、干渉Ｃ−ＭＴＣ送信）によって支配され、それゆえ適切にメッセージを検出するために用いられうるリソースの集合から事実上ほとんどパンクチャリングされるという予想の下で、実効的パンクチャリングの予測確率レベルにリンク・アダプテーション／電力制御が適合されるようにセットアップされうる。以下でより詳細に記載されるように、このアダプテーションは、制限なしに、反復回数の増加、よりロバストな符号化／変調への変更、送信電力の調整の実行などのような動作のうちの何れか１つ又は何れか１つの組み合わせを含みうる。
【００６３】
リンク・アダプテーション／電力レベルを実効的な（すなわち、実際の；予測されるものに対して実際に生じる）パンクチャリング・レベルの予測レベルに適合するために、まずは当該レベルを予測できなければならない。Ｃ−ＭＴＣ送信のパターン及び送信に関連するＴＤＤパターンを事前に知っているならば、１００％の確率で、割り当てられるリソースとしてＭ−ＭＴＣ送信に適用されうるパンクチャリングのレベルを知るだろう。残念なことに、Ｃ−ＭＴＣ送信は常に「事前にスケジューリングされる」わけではなく、ＴＤＤパターンは時々十分にフレキシブルであり、事前に知られていない送信要件に適合しうる。したがって、実効的パンクチャリング・パターンに関連する統計的特性を予測する必要がある。これを行うために、履歴記録に基づいてパンクチャリング・パターンについての統計モデルを直接取得しようとしうる。また、様々なサービスの送信パターン及び関連する複信送信パターン、又はパンクチャリング・パターンに影響しうる任意の他の要因をモデリングすることを探るようにし、その後にパンクチャリング・レベルについての統計モデルにマッピングされうるこれらのパターンについての統計モデルを思いつこうとしうる。
【００６４】
上述のように、様々な遅延センシティビティ及び様々なリソース割り当て期間を有する様々なタイプのトラフィックの共存は、遅延クリティカル・セッションがリソースへ即時にアクセスすることを防ぐためにソフト・スライシングでは困難であり、ハード・スライシングはトランキング非効率性につながりうる。
【００６５】
動的ＴＤＤシステムにおいて、下りリンクＭ−ＭＴＣ送信が上りリンクＭ−ＭＴＣ送信によって中断又はキャンセルされるかもしれず、後からスケジューリングされた緊急の下りリンクＣ−ＭＴＣ送信のせいで、スケジューリングされた上りリンクＭ−ＭＴＣ受信が失敗しうるという事実に関連する問題もある（この同じ下りリンクＣ−ＭＴＣ送信が上りリンクＭ−ＭＴＣ送信によって干渉されるかもしれないことは言うまでもない）。
【００６６】
「パンクチャリング」は魅力的であるが、単にパンクチャリングを行うことは、もはや正しく検出することが可能ではない反復につながりうる。
【００６７】
上記に基づいて、本書に開示される実施形態に従うシステム及び方法は、遅延クリティカル・セッションが、遅延トレラント・セッションに既に割り当てられたリソースの一部に即時にアクセスすることを可能にすることに関する。一部の実施形態では、カバレッジのために（例えば、ノイズ及び／又は距離に起因する弱い信号に関わらず通信成功の可能性を向上するために）これらの遅延トレラント・セッションの一部に比較的大きなリソースが割り当てられることが想定される。この大きなリソース集合は、短い範囲での実効的通信に必要なものよりも大きな集合でデータの反復又はアグリゲーションの形式をとるだろう。この増加したアグリゲーション又は反復レベルは、リンク・アダプテーションの一部として構成されうる。リンク・アダプテーションの他の部分は、適切な変調オーダ、符号化レート及び電力レベルの選択を含む。本開示の一部の実施形態によれば、遅延トレラント送信に割り当てられたリソースのパンクチャリングの予測レベルに応じて（例えば、これを補償するように）リンク・アダプテーションを適合することが提案される。このパンクチャリングは、遅延クリティカル・セッションに関連する送信（群）に割り込むために行われうる。このようなパンクチャリングされたリソースは、ハイブリッド自動再送制御（ＨＡＲＱ）に用いられるものに類似する例えばインクリメンタル冗長性ソフト合成方法を用いうる受信機反復合成方法におけるノイズだけへの寄与に関連しうる。このように、保守的な高い反復レベル及び／又は電力レベル及び／又は保守的な変調・符号化方式（ＭＣＳ）レベル、及び／又は任意の他のより保守的な（すなわち、よりロバストな）リンク・アダプテーション属性が、リソース「パンクチャリング」の予測確率に基づいて選択されうる。
【００６８】
一部の実施形態で、目的は、例えば遅延非センシティブ・セッションに関連する送信／受信に伴われるデバイスのバッテリ寿命への影響を最小化するために、最小の途絶で遅延クリティカル・トラフィックを遅延トレラント・トラフィックに適応できるようにすることである。
【００６９】
一部の実施形態で、想定では、システムは、個別のリソース要素（最小のスケジューリング・リソース・エンティティ）が遅延クリティカル・セッションに再割り当てされる、又は遅延クリティカル・セッションのせいで（例えば、遅延クリティカル・セッションのために引き起こされる変更を複信するためのガードタイム）利用不能になる確率を予測できる。リソース要素中の同時確率がしばしば対象となり、予測されるべきであることに留意されたい。例として、遅延クリティカル・セッションがしばしば２つ以上のリソース要素に割り当てられるならば、隣接する周波数ビン内の要素も用いられることを前提として要素が使用される確率は、隣接する周波数ビン内の同じ要素が用いられないことを前提としてこの要素が使用される確率とは異なりうる。予測は、リソース要素が将来パンクチャリングされる必要がある推定同時確率を特徴づける多次元アレイの使用を要求しうる。アレイは、すべてのスケジューリング次元（時間、周波数、拡散コード、空間プリコードなど）をカバーしうる。より緊急／重要な送信にリソース要素が再割り当てされる確率が、この同じ又は異なるより緊急／重要な送信に別の要素が既に再割り当てされている確率に依存するならば、要素のパンクチャリングの確率が同時に考慮される必要がありうる。
【００７０】
本開示の実施形態はまた、実際のパンクチャリング・レベルが予測されリンク・アダプテーションに用いられたものを超えた場合に遅延トレラント・セッションに関連する干渉送信のための予見もカバーする。
パンクチャリングが受信機におけるアグリゲーション後の予測信号対干渉雑音比（ＳＩＮＲ）を不十分であるとみなされるレベルにするならば、送信のうちキャンセル可能な残り部分の如何なるものをキャンセルしてもよい。よって、スケジューラは、遅延トレラント・セッションに関連する実際のパンクチャリング・レベルをコンスタントに評価してもよく、それが、送信のセットアップに使用されたリンク・アダプテーション設定に基づいて受け入れ可能なもの以下にとどまることを保証しようとしてもよく、最後の手段として、信頼の受け入れ可能レベルで検出成功につながりうるものを実際のパンクチャリング・レベルが超えることがわかるならば、なおもキャンセルされうるものをキャンセルしてもよい。
【００７１】
本開示の実施形態はまた、関連する側面、すなわち、使用されたリンク・アダプテーション設定を前提とし、予想された予測最悪ケース・パンクチャリング・レベルを前提として、遅延トレラント・セッションへの影響を最小化するために遅延クリティカル・セッションのスケジューリングがスケジューラによって制御される必要がありうることをカバーする。スケジューラは、様々な遅延トレラント・セッションのすべてについて適切な検出の等しく高い確率を維持する試みにおいてパンクチャリングをこれらに拡散しようとしてもよいが、遅延クリティカル・セッションの負荷が高すぎて、検出エラーの確率がすべてのパンクチャリングされる遅延トレラント・セッションについてグローバルに高くなりすぎるならば、それは、遅延トレラント・セッションがほとんど中断されない動作モードに切り替えてもよい。パンクチャリング予測が十分であるならば、パンクチャリングは、リンク・アダプテーションによって「吸収」されるべきであるが、パンクチャリングが過少見積もりであるならば、パンクチャリングは出来る限り少ないセッションに焦点が当てられ、その後にキャンセルされてもよい。そして、パンクチャリングが過大見積もりされるならば、スキームは結果としてわずかに積極性が低いリンク・アダプテーションとなり、これは遅延トレラント・セッションに用いられるリソースの空間効率性のわずかな劣化に変換されうる。
【００７２】
一部の実施形態によれば、本開示は、遅延トレラント・セッションに割り当てられたリソースが、遅延クリティカル・セッションに再割り当て（パンクチャリング）されることを可能にすることを提案するが、推定された遅延クリティカル・トラフィック・プロファイルに関連するパンクチャリングの予測レベルに基づくパンクチャリングされた遅延トレラント・セッションのリンク・アダプテーションを適合する。したがって、本開示の一部の実施形態は、
●パンクチャリング推定：リソースが遅延トレラント・セッションから遅延クリティカル・セッションへ再割り当て（パンクチャリング）される確率を推定することと、
●適合されたリンク・アダプテーション：パンクチャリングの予測レベルを補償するために遅延トレラント・セッションの「通常の」リンク・アダプテーション・メカニズムを変更するメカニズムを適用することと、
●分散されたパンクチャリング：より多くの遅延トレラント・セッションにパンクチャリングを拡散すること（遅延クリティカル・セッションのスケジューリングのための１つの基準は、変更されたリンク・アダプテーションを前提として受け入れ可能なものよりも低いレベルに遅延トレラント・セッションのパンクチャリング・レベルを維持するために遅延トレラント・セッションをパンクチャリングしようとすることでありうる）と、
●焦点が当てられたパンクチャリング：分散されたパンクチャリングがあまりにも多くの遅延トレラント・セッションを損なうならば、可能な限り少ない遅延トレラント・セッションをパンクチャリングすることと、のうちの１つ以上に関する。このような遅延トレラント・セッションはキャンセルされてもよく、これらのリソースのすべてがパンクチャリングに用いられうる。スケジューラのようなネットワーク・エンティティが任意の追加のパンクチャリングに焦点を当てるための１つの基準は、パンクチャリングのレベルが、遅延トレラント・セッションのリンク・アダプテーションに予見されたものと比較して既に最大であるかどうかでありうる。このような場合に、決定は、出来る限り少ない遅延トレラント・セッションをパンクチャリングすることでありうる。更なる実施形態によれば、これらの少ない犠牲となったセッションへなおも送信されるデータはまた、適切な検出の可能性が低すぎるならば、キャンセルされてもよい。
【００７３】
次に、本開示の例示の実施形態が提供される。
【００７４】
例示の実施形態
説明のために、システム内のスケジューリング可能無線リソースが、時間に関するスケジューリングの単位がサブフレームと呼ばれ、周波数に関するスケジューリングの単位がリソース・ブロック（ＲＢ）と呼ばれる時間−周波数グリッドを形成することが想定される。検討するシステムはＦＤＤである。この実施形態は、下りリンク送信に焦点を当てる。
【００７５】
パンクチャリング確率行列（ＰＰＭ）
図１は、本書に記載される主題の実施形態による例示のパンクチャリング確率行列（ＰＰＭ）及びＰＰＭ推定器を説明する。提示を単純にするために、各リソース・ユニットは、他のリソース・ユニットと独立してパンクチャリングの確率に関連すると想定する。このような想定は、Ｃ−ＭＴＣバーストがリソースの単一ユニットを使用するシナリオで合理的でありうる。この場合に、パンクチャリングの確率は、図１に示されるＰＰＭによって表現されうる。ＰＰＭの要素は、リソースの特定のユニットがＣ−ＭＴＣトラフィックによってパンクチャリングされる確率に対応する。
【００７６】
一部の実施形態で、ＰＰＭ推定器は、入力として、以下の情報：Ｃ−ＭＴＣトラフィックについてのスケジューリング情報、及びＣ−ＭＴＣトラフィック統計を得てもよい。出力として、これは、今後のサブフレームのリソース・グリッド内の特定のリソース・ユニットがパンクチャリングされる確率を与えるＰＰＭを計算する。図１は、Ｃ−ＭＴＣ事前スケジューリングがある場合とない場合との２つの例を示す。例１で、Ｃ−ＭＴＣトラフィックの事前スケジューリングがサポートされない。この場合に、パンクチャリング確率｛ｐi｝は、Ｃ−ＭＴＣトラフィック・バーストの到達レートに基づいて計算されうる。例えば、Ｃ−ＭＴＣトラフィック・バーストのリソース割り当てが如何なるプリファレンス（このようなプリファレンスの一例は、特定の順序でＲＢからＣ−ＭＴＣトラフィックを割り当てることでありうる）にも従わないならば、確率は、ｐi＝ｐとして近似されてもよく、ｐはＣ−ＭＴＣトラフィックに起因する平均リソース利用率である。Ｃ−ＭＴＣトラフィックについてのリソース割り当てがプリファレンス順序に従うならば、これらの確率は異なりうる。例２で、Ｃ−ＭＴＣ送信は、後のサブフレームで所定のＲＢに事前スケジューリングされ、このＲＢは１であるパンクチャリング確率に対応する。この場合のパンクチャリング確率｛ｐi｝は、Ｃ−ＭＴＣトラフィック・バーストの到達レートと、スケジューリング情報と、存在するならばリソース割り当てプリファレンスと、に基づいて計算される。事前スケジューリングされたリソースの追加情報を用いることは、ＰＰＭ推定を向上し、それゆえよりよいリンク・アダプテーションにつながる。以下にスケジューリング・ループを提示しつつ、Ｃ−ＭＴＣ／Ｍ−ＭＴＣ共存を改善するためにＰＰＭがどのように用いられうるかが説明される。
【００７７】
Ｃ−ＭＴＣ／Ｍ−ＭＴＣの改善した共存のイネーブラとしてのスケジューリング・ループ
検討中のシステムに関して以下の想定がなされ、このシステムについての本開示の実施形態が提示される。これらの想定は、提示を単純にするために行われるが、本書に開示される主題はこれに限定されない。
●Ｍ−ＭＴＣ送信は、カバレッジ強化のために時間において反復してスケジューリングされうる。一方、Ｃ−ＭＴＣ送信は、一度に１つのサブフレームにスケジューリングされる。一般性を失うことなく、Ｃ−ＭＴＣ送信又はＭ−ＭＴＣ送信がちょうど１つのＲＢ（すなわち、周波数リソースの観点で１つのユニット）を占めることも想定される。
●リソース割り当てポリシーは、特定のトラフィック・タイプについてＲＢの割り当ての観点でプリファレンス順序を有しない。
●提示を更に単純にするために、将来のサブフレーム内のＲＢにバーストがスケジューリングされる前方スケジューリングが用いられず、それゆえ、スケジューリングされるならば、任意のバーストが現在のサブフレームのリソースにスケジューリングされることが想定される。提示される実施形態は、前方スケジューリングが有効な場合に容易に拡張されうる。
【００７８】
スケジューラは、以下のデータを内部に維持する。
●進行中のＭ−ＭＴＣ送信のそれぞれについての以下の情報とともに、進行中のＭ−ＭＴＣのリスト：スケジューリング及びリンク・アダプテーション決定変数（変調・符号化方式、送信電力、反復レベル）、リンク・アダプテーション中に計算されたパンクチャリングの推定回数、既に生じたパンクチャリングの累積回数。
●パンクチャリング確率行列。
【００７９】
スケジューラは、入力として、（新たなサブフレームの開始の直前に生じる）各スケジューリング・ループの先頭で以下を受信する：ａ）スケジューリングされる必要がある新規のＭ−ＭＴＣ送信のリスト（Ω＿Ｍ）、ｂ）スケジューリングされる必要がある新規のＣ−ＭＴＣ送信のリスト（Ω＿Ｃ）、ｃ）チャネル・フィードバック・プロセッサからのＵＥごとのＳＩＮＲ（SINR[UE1]、SINR[UE2]など）、及びｄ）ＨＡＲＱフィードバック・プロセッサからのＳＩＮＲアジャストメント（adjustment[UE1]、adjustment[UE2]など）。
【００８０】
スケジューリング・ループは以下の疑似コードで記載されうる。疑似コードは、指定された順序で実行される３つのサブループを含む。
【００８１】
１）新規のＣ−ＭＴＣ送信のためのサブループ
For ΩC内の各（Ｃ−ＭＴＣ）ＵＥ:
//リンク・アダプテーション
ＭＣＳ、送信電力ｐを決定する;
MCS[UE], p[UE] = f(SINR[UE] + adjustment[UE])、ここでf(.)はＳＩＮＲからＭＣＳ及び送信電力への構成されたマッピング;
//リソース・アロケーション
何らかの選択基準に基づいて現在のサブフレーム内のリソース・ブロックを選択する; //例は後述される
If リソース割り当てが成功:
選択されたリソース・ブロックでＣ−ＭＴＣを送信する；
End If
If リソース割り当てが、進行中のＭ−ＭＴＣをパンクチャリングする:
Ｍ−ＭＴＣについてパンクチャリングの累積回数を更新する;
If Ｍ−ＭＴＣについてのパンクチャリング・レベルがリンク・アダプテーション中に計算されたパンクチャリングの推定回数にマージンを加えた値を超える:
進行中のＭ−ＭＴＣ送信のリストからＭ−ＭＴＣ送信を除去する
End If
End If
ＰＰＭを更新
End For
【００８２】
２）進行中のＭ−ＭＴＣ送信のためのサブループ
For 進行中のＭ−ＭＴＣ送信のそれぞれについて:
If このＭ−ＭＴＣに割り当てられたリソース・ブロックが現在のサブフレームにおいてパンクチャリングされない:
割り当てられたリソース・ブロックで送信する;
End If
End For
【００８３】
３）新規のＭ−ＭＴＣ送信のためのサブループ
For ΩM内の各（Ｍ−ＭＴＣ）ＵＥ:
利用可能なリソース・ブロック（すなわち、現在のサブフレーム内において任意の以前の送信で用いられていないもの）のリストを発見する;
For 利用可能な各リソース・ブロックＲＢ:
//リンク・アダプテーション
ＭＣＳ、送信電力及び反復レベルだけでなく、パンクチャリングの推定回数を決定する;
nominalRepetitionLevel[UE,RB], MCS[UE,RB], power[UE,RB] = f1(SINR[UE,RB] + adjustment[UE, RB])
actualRepetitionLevel[UE, RB], estimatedNrofPuncturing[UE,RB] = g(nominalRepetitionLevel[UE, RB], PPM); 
//f1(.)及びg(.)は事前に構成されたマッピング
End For
//リソース・アロケーション
最小回数の反復を必要とする利用可能リソース・ブロックを選択する;
If リソース割り当てが成功:
選択されたリソース・ブロックで送信する;
進行中のＭ−ＭＴＣ送信のスケジューラ内部リストを、関連情報とともにこの送信に追加する;
End If
End For
【００８４】
以下は、Ｃ−ＭＴＣ送信についてのＲＢ選択基準の例である。
●別のＣ−ＭＴＣに既に選択されたＲＢを選択しない。
●進行中のＭ−ＭＴＣ送信に割り当てられたＲＢよりも空のＲＢを優先する。
●空のＲＢが利用可能でないならば、リンク・アダプテーション中に計算されたパンクチャリングの推定回数に対する、既に生じたパンクチャリングの累積回数の比の最小値を有する進行中のＭ−ＭＴＣ送信のＲＢをパンクチャリングする。
【００８５】
例示のシステム・アーキテクチャ及び動作
本開示の実施形態は、セルラ通信システム又はネットワークで実装される。セルラ通信システム１０の１つの非限定的な例が図２に説明される。
【００８６】
図２は、本書に記載される主題の実施形態に従うネットワーク・ノードに実装されるスケジューラを有する例示のセルラ通信システム１０を説明する。図２に説明される実施形態で、セルラ通信システム１０は、この説明例で基地局１４である複数の無線アクセス・ノードを含む無線アクセス・ネットワーク（ＲＡＮ）１２を含む。３ＧＰＰ  ＬＴＥで、基地局１４は、例えば、ｅＮＢ又は低電力基地局（例えば、ピコ、マイクロ、フェムト、又はホーム基地局）でありうる。基地局１４は、基地局１４の対応するセル１６内の無線デバイス１８（例えば、ＵＥ）へ無線アクセスを提供するセル１６を有する。図２の例でセル１６が示されるが、他の実施形態で、基地局１４は複数のビームで送信してもよいことに留意されたい。この例で、基地局１４は、Ｘ２コネクション（又はより一般的に基地局対基地局コネクション）を介して通信する。さらに、基地局１４はコア・ネットワーク２０に接続され、コア・ネットワーク２０は、例えば１つ以上のモビリティ管理エンティティ（ＭＭＥ）２２、１つ以上のサービング・ゲートウェイ（Ｓ−ＧＷ）２４及び１つ以上のパケット・データ・ネットワーク・ゲートウェイ（Ｐ−ＧＷ）２６のような様々なコア・ネットワーク・ノードを含む。
【００８７】
無線デバイス１８は、遅延センシティブ無線デバイス１８（例えば、Ｃ−ＭＴＣデイバス）及び遅延トレラント無線デバイス１８（例えば、Ｍ−ＭＴＣデバイス）を含む。
【００８８】
図３は、本開示の実施形態に従う機能を提供するように動作するスケジューラ２８及びＰＰＭ生成器３０を説明するブロック図である。一部の実施形態で、スケジューラ２８は、基地局１４内（又は、より一般的に無線アクセス・ノード内）に実装される。スケジューラ２８は、例えばメモリに格納され、基地局１４（又は、より一般的に無線アクセス・ノード）の１つ以上のプロセッサ（例えば、１つ以上の中央処理ユニット（ＣＰＵ）、１つ以上の特定用途向け集積回路（ＡＳＩＣ）、１つ以上のフィールド・プログラマブル・ゲート・アレイ（ＦＰＧＡ）及び／又は同様のもの）によって実行されるソフトウェアで実装されてもよい。ＰＰＭ生成器３０は、基地局１４又は何らかの他のネットワーク・ノードに実装されてもよい。一部の実施形態で、ＰＰＭ生成器３０は、例えばメモリに格納され、ネットワーク・ノードの１つ以上のプロセッサによって実行されるソフトウェアで実装されてもよい。
【００８９】
ＰＰＭ生成器３０は、上述のように、個別のリソースがパンクチャリングされる（すなわち、遅延クリティカル・セッション、例えばＣ−ＭＴＣセッションに再割り当てされる）確率の統計モデルを表現するＰＰＭを生成するように動作する。ＰＰＭは、統計モデルの単なる一例の表現であることに留意されたい。統計モデルは、特定の実装に依存して変わりうる。
【００９０】
スケジューラ２８は、新規のＣ−ＭＴＣ送信スケジューリング・サブプロセス３２と、既存のＭ−ＭＴＣ送信スケジューリング・サブプロセス３４と、新規のＭ−ＭＴＣ送信スケジューリング・サブプロセス３６と、を含む。新規の送信は、現在のサブフレームで到達する送信のことである。この用語は、Ｃ−ＭＴＣ送信及びＭ−ＭＴＣ送信の両方に適用される。既存の送信は、先のサブフレームで到達したが、反復に起因してなおも送信されている送信のことである。Ｃ−ＭＴＣ送信は反復されないので、この用語はＭ−ＭＴＣ送信のみに適用される。（所与のサブフレームで新規のＣ−ＭＴＣ送信は、反復なしに当該サブフレームで送信される。）
【００９１】
図４は、本開示の一部の実施形態に従う図３のスケジューラ２８の新規のＣ−ＭＴＣ送信スケジューリング・サブプロセス３２の動作を説明するフロー図である。説明されるように、現在のサブフレームについてスケジューリングする場合に、新規のＣ−ＭＴＣ送信スケジューリング・サブプロセス３２は、インデックスｉを初期値、この例では１にセットする（ステップ１００）。インデックスｉは、現在のサブフレームにＣ−ＭＴＣ送信がスケジューリングされる無線デバイス１８のリストへのインデックスである。無線デバイス１８のこの集合は、上記の説明の実施形態のための疑似コードでΩＣとして表され、このようなものとして同じものが以下でも用いられる。
【００９２】
新規のＣ−ＭＴＣ送信スケジューリング・サブプロセス３２は、現在のサブフレーム内に未使用のリソースが存在するかどうかを判定する（ステップ１０２）。そうならば、新規のＣ−ＭＴＣ送信スケジューリング・サブプロセス３２は、ＵＥiに対するＣ−ＭＴＣ送信に現在のサブフレーム内の未使用のリソースを選択し（ステップ１０４）、その後、処理はステップ１１４へ進む。しかし、現在のサブフレーム内に未使用のリソースが存在しないならば、新規のＣ−ＭＴＣ送信スケジューリング・サブプロセス３２は、既存のＭ−ＭＴＣ送信／セッションに既に割り当てられた現在のサブフレーム内のリソースの中から、ＵＥiに対するＣ−ＭＴＣ送信のためのリソースを選択する（ステップ１０６）。言い換えると、新規のＣ−ＭＴＣ送信スケジューリング・サブプロセス３２は、既存のＭ−ＭＴＣ送信／セッションをパンクチャリングするリソースを選択する。Ｃ−ＭＴＣ送信スケジューリング・サブプロセス３２は、ステップ１０６の選択を行うために任意の適切な基準を用いてもよい。基準の１つの例の集合は以下のとおりである。
【００９３】
別のＣ−ＭＴＣに既に選択されたリソースを選択しない。進行中のＭ−ＭＴＣ送信に割り当てられたリソースよりも空のリソースを優先する。空のリソースが利用可能でないならば、リンク・アダプテーション中に計算されたパンクチャリングの推定回数に対する、既に生じたパンクチャリングの累積回数の比の最小値を有する進行中のＭ−ＭＴＣ送信のリソースをパンクチャリングする。
【００９４】
しかし、上記で与えられた基準の集合は単なる例であることに留意されたい。新規のＣ−ＭＴＣ送信スケジューリング・サブプロセス３２は、選択されたリソースについてパンクチャリングの累積回数を更新する（ステップ１０８）。
【００９５】
一部の実施形態で、新規のＣ−ＭＴＣ送信スケジューリング・サブプロセス３２は、選択されたリソースについてのパンクチャリングのレベルが高すぎるかどうか（例えば、パンクチャリングの予測レベルに所定のマージンを加えた値のような何らかの所定の閾値よりも大きいかどうか）を判定する（ステップ１１０）。そうでないならば、処理はステップ１１４へ進む。しかし、選択されたリソースについてのパンクチャリングのレベルが高すぎるならば、Ｃ−ＭＴＣ送信スケジューリング・サブプロセス３２は、対応する既存のＭ−ＭＴＣ送信をキャンセルする（ステップ１１２）。言い換えると、既存のＭ−ＭＴＣ送信は、進行中、すなわち既存のＭ−ＭＴＣ送信／セッションのリストから除去される。
【００９６】
この時点で、ステップ１０４から進んだか、ステップ１１０から進んだか、ステップ１１２から進んだかによらず、新規のＣ−ＭＴＣ送信スケジューリング・サブプロセス３２は、現在のサブフレームにＣ−ＭＴＣ送信がスケジューリングされるＵＥの集合内の最後のＵＥが処理されたかどうかを判定する（ステップ１１４）。そうでないならば、インデックスｉがインクリメントされ（ステップ１１６）、処理はステップ１０２へ戻る。現在のサブフレームにＣ−ＭＴＣ送信がスケジューリングされるＵＥの集合の最後のＵＥが処理されたならば、処理は終了する。
【００９７】
図５は、本開示の一部の実施形態に従う図３のスケジューラ２８の既存のＭ−ＭＴＣ送信スケジューリング・サブプロセス３４の動作を説明するフロー図である。説明されるように、現在のサブフレームについてスケジューリングする場合に、既存のＭ−ＭＴＣ送信スケジューリング・サブプロセス３４は、インデックスｉを初期値、この例では１にセットする（ステップ２００）。インデックスｉは、進行中の、すなわち既存のＭ−ＭＴＣ送信／セッションが存在する無線デバイス１８のリストへのインデックスである。
【００９８】
既存のＭ−ＭＴＣ送信スケジューリング・サブプロセス３４は、現在のサブフレームのＵＥに対する既存のＭ−ＭＴＣ送信がパンクチャリングされるかどうか（すなわち、ＵＥiのための既存のＭ−ＭＴＣ送信に割り当てられた現在のサブフレーム内のリソースがＣ−ＭＴＣ送信のために再割り当てされたかどうか）を判定する（ステップ２０２）。そうでないならば、既存のＭ−ＭＴＣ送信スケジューリング・サブプロセス３４は、現在のサブフレーム内の割り当てられたリソースでＵＥのための既存のＭ−ＭＴＣを送信するか、これを送信するように個別の無線アクセス・ノードを制御し（ステップ２０４）、その後処理はステップ２０８へ進む。しかし、現在のサブフレーム内のＵＥiのための既存のＭ−ＭＴＣ送信がパンクチャリングされたならば、既存のＭ−ＭＴＣ送信スケジューリング・サブプロセス３４は、現在のサブフレーム内の割り当てられたリソースでＵＥiに対する既存のＭ−ＭＴＣ送信を送信しないか、これを送信しないように個別の無線アクセス・ノードを制御する（ステップ２０６）。
【００９９】
この時点で、ステップ２０４から進んだか、ステップ２０６から進んだかによらず、既存のＭ−ＭＴＣ送信スケジューリング・サブプロセス３４は、現在のサブフレーム内の最後の進行中のＭ−ＭＴＣ送信が処理されたかどうかを判定する（ステップ２０８）。そうでないならば、インデックスｉがインクリメントされ（ステップ２１０）、処理はステップ２０２へ戻る。現在のサブフレーム内の最後の進行中のＭ−ＭＴＣ送信が処理されたならば、処理は終了する。
【０１００】
図６は、本開示の一部の実施形態に従う図３のスケジューラ２８の新規のＭ−ＭＴＣ送信スケジューリング・サブプロセス３６の動作を説明するフロー図である。説明されるように、現在のサブフレームについてスケジューリングする場合に、新規のＭ−ＭＴＣ送信スケジューリング・サブプロセス３６は、インデックスｉを初期値、この例では１にセットする（ステップ３００）。インデックスｉは、現在のサブフレームにＭ−ＭＴＣ送信がスケジューリングされる無線デバイス１８のリストへのインデックスである。無線デバイス１８のこの集合は、上記の説明のための実施形態のための疑似コードでΩＭとしてあらわされ、このようなものとして同じものが以下でも用いられる。
【０１０１】
新規のＭ−ＭＴＣ送信スケジューリング・サブプロセス３６は、現在のサブフレーム内の利用可能ソースを識別する（ステップ３０２）。利用可能リソースは、Ｃ−ＭＴＣ送信又は進行中のＭ−ＭＴＣ送信にまだ割り当てられていないＭ−ＭＴＣ送信に利用可能なリソースのことである。新規のＭ−ＭＴＣ送信スケジューリング・サブプロセス３６は、上述のように、統計情報（例えば、この例ではパンクチャリングの予測回数）に基づいて、各ＵＥiについてのリンク・アダプテーション・パラメータ、識別された利用可能リソースについてのリソース・ペアを適合、又は決定する（ステップ３０４）。新規のＭ−ＭＴＣ送信スケジューリング・サブプロセス３６は、利用可能リソースについての適合された、又は決定されたリンク・アダプテーション・パラメータのうちの少なくとも１つに基づいて、識別された利用可能リソースから、ＵＥiの新規のＭ−ＭＴＣ送信のためのリソースを選択する（ステップ３０６）。例えば、上述のように、１つの説明の実施形態で、新規のＭ−ＭＴＣ送信スケジューリング・サブプロセス３６は、統計モデルに基づいて、最小回数の推定反復を要求するリソースを選択する。
【０１０２】
新規のＭ−ＭＴＣ送信スケジューリング・サブプロセス３６は、現在のサブフレームに新規のＭ−ＭＴＣ送信がスケジューリングされるＵＥの集合内の最後のＵＥが処理されたかどうかを判定する（ステップ３０８）。そうでないならば、インデックスｉがインクリメントされ（ステップ３１０）、処理はステップ３０２へ戻る。現在のサブフレームに新規のＭ−ＭＴＣ送信がスケジューリングされるＵＥの集合の最後のＵＥが処理されたならば、処理は終了する。
【０１０３】
図７は、本開示の一部の実施形態に従う基地局１４の概略ブロック図である。この議論は他のタイプの無線アクセス・ノードに等しく適用可能である。さらに、他のタイプのネットワーク・ノードは、（特にプロセッサ（群）、メモリ及びネットワーク・インタフェースを含む点に関して）同様のアーキテクチャを有しうる。説明されるように、基地局１４は、１つ以上のプロセッサ４０（例えば、ＣＰＵ、ＡＳＩＣ、ＦＰＧＡ及び／又は同様のもの）、メモリ４２及びネットワーク・インタフェース４４だけでなく、１つの送信機４８、及び１つ以上のアンテナ５２に結合された１つ以上の受信機５０をそれぞれ含む１つ以上の無線ユニット４６を含むベースバンド・ユニット３８を含む。一部の実施形態で、上述の基地局１４の機能（又は、より一般的に無線アクセス・ノードの機能又はより一般的にネットワーク・ノードの機能）は、例えばメモリ４２に格納され、プロセッサ（群）４０によって実行されるソフトウェアで全体的に又は部分的に実装されてもよい。
【０１０４】
一部の実施形態で、少なくとも１つのプロセッサによって実行された場合に、本書に記載される実施形態の何れかに従って、（例えば、基地局１４のようなネットワーク・ノード又は無線アクセス・ノードで実装される）スケジューラ２８及び／又はＰＰＭ生成器３０の機能を実行させる命令を含むコンピュータ・プログラムが提供される。一部の実施形態で、上述のコンピュータ・プログラム製品を含むキャリアが提供される。キャリアは、電気信号、光信号、無線信号又はコンピュータ可読記憶媒体（例えば、メモリのような非一時的コンピュータ可読媒体）のうちの１つである。
【０１０５】
図８は、本開示の一部の実施形態に従う基地局１４の概略ブロック図である。基地局１４は、１つ以上のモジュール５４を含み、これらのそれぞれはソフトウェアで実装される。モジュール（群）５４は、本書に記載される基地局１４の機能を提供する。他のタイプの無線アクセス・ノード及びネットワーク・ノードが基地局１４について図８に示されるのと同様のアーキテクチャであってもよいことに留意されたい。
【０１０６】
図９は、本開示の一部の実施形態に従う無線デバイス１８（例えば、Ｍ−ＭＴＣデバイス又はＣ−ＭＴＣデバイス）の概略ブロック図である。説明されるように、無線デバイス１８は、１つ以上のプロセッサ５６（例えば、ＣＰＵ、ＡＳＩＣ、ＦＰＧＡ及び／又は同様のもの）、メモリ５８及び１つ以上の送受信機６０であって、それぞれが１つの送信機６２、及び１つ以上のアンテナ６６に結合された１つ以上の受信機６４を含む１つ以上の送受信機６０を含む。一部の実施形態で、上述の無線デバイス１８の機能は、例えばメモリ５８に格納され、プロセッサ（群）５６によって実行されるソフトウェアで全体的に又は部分的に実装されてもよい。
【０１０７】
一部の実施形態で、少なくとも１つのプロセッサによって実行された場合に、本書に記載される実施形態の何れかに従って、無線デバイス１８の機能を実行させる命令を含むコンピュータ・プログラムが提供される。一部の実施形態で、上述のコンピュータ・プログラム製品を含むキャリアが提供される。キャリアは、電気信号、光信号、無線信号又はコンピュータ可読記憶媒体（例えば、メモリのような非一時的コンピュータ可読媒体）のうちの１つである。
【０１０８】
図１０は、本開示の一部の実施形態に従う無線デバイス１８の概略ブロック図である。無線デバイス１８は、１つ以上のモジュール６８を含み、これらのそれぞれはソフトウェアで実装される。モジュール（群）６８は、本書に記載される無線デバイス１８（例えば、ＵＥ）の機能を提供する。
【０１０９】
図１１は、本開示の一部の実施形態に従う送信機におけるスケジューリング及び／又はリンク・アダプテーションの方法を説明するフロー図である。図１１に説明される実施形態で、通信サブフレーム内の通信リソースの集合からのリソースの少なくとも１つの部分集合が、遅延トレラント通信によって用いられるために割り当てられる（ステップ４００）。パンクチャリングの個別の確率（すなわち、リソースの部分集合が遅延センシティブ通信によってパンクチャリングされる確率）が決定される（ステップ４０２）。決定されたパンクチャリングの確率に基づいて、個別の遅延トレラント通信のためのリンク・アダプテーションが変更される（ステップ４０４）。すべての部分集合が処理されるまで、処理がループする（ステップ４０６及び４０８）。
【０１１０】
図１２は、本開示の一部の実施形態に従う遅延トレラント通信に割り当てられたリソースの部分集合の再使用の方法を説明するフロー図である。図１２に説明される実施形態で、割り当てステップ４００に関する追加の詳細が示される。割り当てステップ４００は、遅延トレラント通信に現在割り当てられているリソースの部分集合がパンクチャリングされる確率を決定すること（ステップ５００）を含む。パンクチャリングの確率は、閾値レベルに対して比較される（ステップ５０２）。確率が閾値よりも低いならば、遅延トレラント通信は部分集合を再使用し（ステップ５０４）、その他の場合に、遅延トレラント通信のために新たな部分集合が選ばれる（ステップ５０６）。
【０１１１】
例示の実施形態
特定の実施形態に限定されないが、本開示の一部の例示の実施形態が以下に記載される。
【０１１２】
実施形態１：送信機におけるスケジューリング及び／又はリンク・アダプテーション（リンク・アダプテーションは、制限なしに、時間／周波数／拡散コード／プリコーダ・リソース、電力レベル、アグリゲーション及び反復レベル、変調・符号化レベルの選択の任意の組み合わせを含みうる）のための方法であって、割り当てられたリソースの集合の１つ以上の部分集合が実際にパンクチャリングされる（この送信に使用されない）予測確率を処理することと、前記予測確率に基づいて第１送信がなおも生じることがスケジューリングされている間に開始され（所定のスキームに基づいて、例えば重要性及び／又は緊急レベルに基づいて）選択された送信のために同一の又は他の送信機によるリソースの再使用を引き起こすことと、を有する方法。
【０１１３】
実施形態２：実施形態１に記載の方法の既にスケジューリングされた送信の意図したパンクチャリング・レベルが予想したものに何らかのマージンを加えた値よりも高いならば、送信の残りをキャンセルするための方法。
【０１１４】
実施形態３：実施形態１に記載の方法であって、新たな緊急／重要送信に道を譲るために割り当てられたリソースがパンクチャリングされる必要がありうる低い緊急度／重要度の既にスケジューリングされた送信についてパンクチャリングの許容レベルを維持する要望を考慮して、新たにスケジューリングされた緊急／重要送信が割り当てられたリソースである、方法。
【０１１５】
実施形態４：実施形態１乃至３に関連して、リソース要素が将来パンクチャリングされる必要がある推定同時確率を特徴付けうる多次元アレイをスケジューラについて維持する。アレイは、すべてのスケジューリング次元（時間、周波数、拡散コード、空間プリコード...）をカバーしうる。要素のパンクチャリングの確率は、リソース要素がより緊急／重要な送信に再割り当てらえれる確率が、この同じ又は異なるより緊急／重要な送信に別の要素が既に再割り当てされている確率に依存するならば、同時に考慮される必要がありうる。
【０１１６】
実施形態５：セルラ通信システムのネットワーク・ノードに実装されるスケジューラの動作の方法であって、
●１つ以上の個別の無線デバイスによる１つ以上の遅延トレラント送信をサブフレーム内にスケジューリングすること（ステップ３００〜３１０）を有し、前記１つ以上の個別の無線デバイスによる１つ以上の遅延トレラント送信をスケジューリングすることは、各無線デバイスについて、
〇サブフレーム内の複数の利用可能リソースを識別すること（ステップ３０２）と、
〇前記サブフレーム内の前記複数の利用可能リソースの各利用可能リソースについて、遅延センシティブ送信の送信を可能にするために、前記利用可能リソースを用いた遅延トレラント送信の予測パンクチャリングの統計モデルを表す情報に基づいて、前記利用可能リソースについて前記無線デバイスについて１つ以上のリンク・アダプテーション・パラメータを決定すること（ステップ３０４）と、
〇前記１つ以上のリンク・アダプテーション・パラメータのうちの少なくとも１つに基づいて、前記無線デバイスの前記遅延トレラント送信のために前記サブフレーム内の前記複数の利用可能リソースのうちの１つを選択すること（ステップ３０６）と、を含む、方法。
【０１１７】
実施形態６：実施形態５に記載の方法であって、１つ以上の個別の無線デバイスによる１つ以上の遅延センシティブ送信を前記サブフレーム内にスケジューリングすることを更に有する方法。
【０１１８】
実施形態７：実施形態６に記載の方法であって、前記複数の遅延トレラント送信をスケジューリングするための前記複数の利用可能リソースは、前記遅延センシティブ送信がスケジューリングされる前記サブフレーム内のリソースを含まない、方法。
【０１１９】
実施形態８：実施形態６又は７に記載の方法であって、前記１つ以上の遅延センシティブ送信を前記サブフレーム内にスケジューリングすることは、前記サブフレーム内にスケジューリングされる各遅延センシティブ送信について、
●前記サブフレーム内に未使用のリソースが存在するかどうかを判定すること（ステップ１０２）と、
●前記サブフレーム内に未使用のリソースが存在するならば、前記個別の無線デバイスによる前記遅延センシティブ送信のためのリソースとして、未使用のリソースを選択すること（ステップ１０４）と、
●前記サブフレーム内に未使用のリソースが存在しないならば、前記遅延センシティブ送信のための前記リソースとして、遅延トレラント送信に既に割り当てられたリソースを選択すること（ステップ１０６）と、を含む方法。
【０１２０】
実施形態９：実施形態８に記載の方法であって、遅延センシティブ送信のための前記リソースとして、前記遅延トレラント送信に既に割り当てられた前記リソースを選択すること（ステップ１０６）は、所定の基準に基づいて、前記遅延センシティブ送信のための前記リソースとして、遅延トレラント送信に既に割り当てられている前記サブフレーム内の複数のリソースのうちの１つを選択することを含む、方法。
【０１２１】
実施形態１０：実施形態８又は９に記載の方法であって、
●遅延トレラント送信に割り当てられている前記サブフレーム内のリソースについてのパンクチャリング・レベルが所定の閾値よりも大きいかどうかを判定すること（ステップ１１０）と、
●そうであるならば、前記遅延トレラント送信をキャンセルすること（ステップ１１２）と、を更に有する方法。
【０１２２】
この開示を通じて以下の略語が用いられる。
３ＧＰＰ    第３世代パートナシップ・プロジェクト
５Ｇ        第５世代
ＡＳＩＣ    特定用途向け集積回路
ＣＥ        カバレッジ拡張
Ｃ−ＭＴＣ  クリティカル・マシンタイプ通信
ＣＰＵ      中央処理ユニット
ｅＮＢ      エンハンスト又は発展型ノードＢ
ＦＤＤ      周波数分割複信
ＦＰＧＡ    フィールド・プログラマブル・ゲート・アレイ
ＨＡＲＱ    ハイブリッド自動再送要求
ＩｏＴ      モノのインターネット
ＬＴＥ      ロング・ターム・エボリューション
ＭＣＳ      変調・符号化方式
ＭＭＥ      モビリティ管理エンティティ
Ｍ−ＭＴＣ  マッシブ・マシンタイプ通信
ＭＴＣ      マシンタイプ通信
ＰＢＣＨ    物理報知チャネル
ＰＤＣＣＨ  物理下りリンク制御チャネル
ＰＤＳＣＨ  物理下りリンク共有チャネル
Ｐ−ＧＷ    パケット・データ・ネットワーク・ゲートウェイ
ＰＰＭ      パンクチャリング確率行列
ＰＲＡＣＨ  物理段落・アクセス・チャネル
ＰＵＣＣＨ  物理上りリンク制御チャネル
ＰＵＣＣＨ  物理上りリンク共有チャネル
ＲＡＮ      無線アクセス・ネットワーク
ＲＢ        リソース・ブロック
Ｓ−ＧＷ    サービング・ゲートウェイ
ＳＩＮＲ    信号対干渉雑音比
ＴＤＤ      時分割複信
ＴＴＩ      送信時間間隔
ＵＥ        ユーザ機器
【０１２３】
当業者は本開示の実施形態への改良及び変更を認識するだろう。すべてのこのような改良及び変更は、本書に開示される概念及び以下の特許請求の範囲の範囲に含まれるとみなされる。
【図１】
2019509676.tif 000003
【図２】
2019509676.tif 000004
【図３】
2019509676.tif 000005
【図４】
2019509676.tif 000006
【図５】
2019509676.tif 000007
【図６】
2019509676.tif 000008
【図７】
2019509676.tif 000009
【図８】
2019509676.tif 000010
【図９】
2019509676.tif 000011
【図１０】
2019509676.tif 000012
【図１１】
2019509676.tif 000013
【図１２】
2019509676.tif 000014
【手続補正書】
【提出日】平成28年12月29日(2016.12.29)
【手続補正１】
【補正対象書類名】特許請求の範囲
【補正対象項目名】全文
【補正方法】変更
【補正の内容】
【特許請求の範囲】
【請求項１】
セルラ通信システムのネットワーク・ノードのためのスケジューラの動作の方法であって、
１つ以上の無線デバイスによる１つ以上の遅延トレラント送信をサブフレーム内にスケジューリングすること（ステップ３００〜３１０）を有し、前記スケジューリングすることは、各無線デバイスについて、
前記サブフレーム内の複数の利用可能リソースからリソースの少なくとも１つの部分集合を識別すること（ステップ３０２）であって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定すること（ステップ３０４）と、を含む、方法。
【請求項２】
請求項１に記載の方法であって、前記決定された１つ以上のリンク・アダプテーション・パラメータのうちの少なくとも１つに基づいて、前記無線デバイスの前記遅延トレラント送信のために前記サブフレーム内のリソースの識別された部分集合を選択すること（ステップ３０６）を更に有する方法。
【請求項３】
請求項１又は２に記載の方法であって、前記１つ以上の無線デバイスの少なくとも１つによる遅延センシティブ送信を前記サブフレーム内にスケジューリングすることを更に有する方法。
【請求項４】
請求項３に記載の方法であって、前記１つ以上の遅延トレラント送信をスケジューリングするための前記複数の利用可能リソースは、遅延センシティブ送信がスケジューリングされる前記サブフレーム内のリソースを含まない、方法。
【請求項５】
請求項３又は４に記載の方法であって、前記遅延センシティブ送信を前記サブフレーム内にスケジューリングすることは、前記サブフレーム内にスケジューリングされる各遅延センシティブ送信について、
前記サブフレーム内に未使用のリソースが存在するかどうかを判定すること（ステップ１０２）と、
前記サブフレーム内に未使用のリソースが存在するならば、前記遅延センシティブ送信のためのリソースとして、未使用のリソースを選択すること（ステップ１０４）と、
前記サブフレーム内に未使用のリソースが存在しないならば、前記遅延センシティブ送信のための前記リソースとして、遅延トレラント送信に既に割り当てられたリソースを選択すること（ステップ１０６）と、を含む方法。
【請求項６】
請求項５に記載の方法であって、前記遅延センシティブ送信のための前記リソースとして、前記遅延トレラント送信に既に割り当てられた前記リソースを選択すること（ステップ１０６）は、所定の基準に基づいて、前記遅延センシティブ送信のための前記リソースとして、遅延トレラント送信に既に割り当てられている前記サブフレーム内の複数のリソースのうちの１つを選択することを含む、方法。
【請求項７】
請求項５又は６に記載の方法であって、
前記遅延トレラント送信に割り当てられている前記サブフレーム内の前記リソースについてのパンクチャリング・レベルが所定の閾値よりも大きいかどうかを判定すること（ステップ１１０）と、
そうであるならば、前記遅延トレラント送信をキャンセルすること（ステップ１１２）と、を更に有する方法。
【請求項８】
セルラ通信ネットワークのための無線ノード（１４、１８）であって、
１つ以上の送信機（４８、６２）と、
１つ以上の受信機（５０、６４）と、
１つ以上のプロセッサ（４０、５６）と、
前記１つ以上のプロセッサによって実行可能な命令を格納するメモリ（４２、５８）と、を備え、前記無線ノードは、
１つ以上の無線デバイスによる１つ以上の遅延トレラント送信をサブフレーム内にスケジューリングすること（ステップ３００〜３１０）を動作可能であり、前記スケジューリングすることは、各無線デバイスについて、
前記サブフレーム内の複数の利用可能リソースからリソースの少なくとも１つの部分集合を識別すること（ステップ３０２）であって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定すること（ステップ３０４）と、を含む、無線ノード。
【請求項９】
請求項８に記載の無線ノードであって、前記１つ以上のプロセッサによる命令の実行によって、前記無線ノードは、前記決定された１つ以上のリンク・アダプテーション・パラメータのうちの少なくとも１つに基づいて、前記無線デバイスの前記遅延トレラント送信のために前記サブフレーム内のリソースの識別された部分集合を選択すること（ステップ３０６）を更に動作可能である、無線ノード。
【請求項１０】
請求項８又は９に記載の無線ノードであって、前記１つ以上のプロセッサによる前記命令の実行によって、前記無線ノードは、前記１つ以上の無線デバイスの少なくとも１つによる前記遅延センシティブ送信を前記サブフレーム内にスケジューリングすることを更に動作可能である、無線ノード。
【請求項１１】
請求項１０に記載の無線ノードであって、前記複数の遅延トレラント送信をスケジューリングするための前記複数の利用可能リソースは、遅延センシティブ送信がスケジューリングされる前記サブフレーム内のリソースを含まない、無線ノード。
【請求項１２】
請求項１０又は１１に記載の無線ノードであって、前記遅延センシティブ送信を前記サブフレーム内にスケジューリングすることは、前記サブフレーム内にスケジューリングされる各遅延センシティブ送信について、
前記サブフレーム内に未使用のリソースが存在するかどうかを判定すること（ステップ１０２）と、
前記サブフレーム内に未使用のリソースが存在するならば、前記遅延センシティブ送信のためのリソースとして、未使用のリソースを選択すること（ステップ１０４）と、
前記サブフレーム内に未使用のリソースが存在しないならば、前記遅延センシティブ送信のための前記リソースとして、前記遅延トレラント送信に既に割り当てられたリソースを選択すること（ステップ１０６）と、を含む無線ノード。
【請求項１３】
請求項１２に記載の無線ノードであって、前記遅延センシティブ送信のための前記リソースとして、前記遅延トレラント送信に既に割り当てられた前記リソースを選択することは、所定の基準に基づいて、前記遅延センシティブ送信のための前記リソースとして、前記遅延トレラント送信に既に割り当てられている前記サブフレーム内の複数のリソースのうちの１つを選択することを含む、無線ノード。
【請求項１４】
請求項１２又は１３に記載の無線ノードであって、前記１つ以上のプロセッサによる命令の実行によって、前記無線ノードは、
前記遅延トレラント送信に割り当てられている前記サブフレーム内のリソースについてのパンクチャリング・レベルが所定の閾値よりも大きいかどうかを判定すること（ステップ１０８、１１０）と、
そうであるならば、前記遅延トレラント送信をキャンセルすること（ステップ１１２）と、を更に動作可能である、無線ノード。
【請求項１５】
セルラ通信ネットワークのための無線ノード（１４、１８）であって、前記無線ノードは、
１つ以上の無線デバイスによる１つ以上の遅延トレラント送信をサブフレーム内にスケジューリングすること（ステップ３００〜３１０）のために適合され、前記スケジューリングすることは、各無線デバイスについて、
前記サブフレーム内の複数の利用可能リソースからリソースの少なくとも１つの部分集合を識別すること（ステップ３０２）であって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定すること（ステップ３０４）と、を含む、無線ノード。
【請求項１６】
セルラ通信ネットワークのための無線ノード（１４、１８）であって、
１つ以上の無線デバイスによる１つ以上の遅延トレラント送信をサブフレーム内にスケジューリングするための手段を有し、前記手段は、
前記サブフレーム内の複数の利用可能リソースからリソースの少なくとも１つの部分集合を識別するための手段であって、各部分集合は１つ以上のリソースを含む、手段と、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定するための手段と、を含む、無線ノード。
【請求項１７】
セルラ通信ネットワークのための無線ノード（１４、１８）あって、
１つ以上の無線デバイスによる１つ以上の遅延トレラント送信をサブフレーム内にスケジューリングするように動作可能なスケジューリング・モジュール（５４、６８）を有し、前記第１スケジューリング・モジュールは、
前記サブフレーム内の複数の利用可能リソースからリソースの少なくとも１つの部分集合を識別するように動作可能な識別モジュール（５４、６８）であって、各部分集合は１つ以上のリソースを含む、識別モジュールと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定するように動作可能な決定モジュール（５４、６８）と、を含む、無線ノード。
【請求項１８】
無線ノード（１４、１８）の１つ以上のプロセッサ（４０、５６）によって実行された場合に、前記無線ノードに、
１つ以上の無線デバイスによる１つ以上の遅延トレラント送信をサブフレーム内にスケジューリングすることを行わせるソフトウェア命令を格納する非一時的コンピュータ可読媒体であって、前記スケジューリングすることは、各無線デバイスについて、
前記サブフレーム内の複数の利用可能リソースからリソースの少なくとも１つの部分集合を識別することであって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定することと、を含む、非一時的コンピュータ可読媒体。
【請求項１９】
少なくとも１つのプロセッサ（４０、５６）によって実行された場合に、請求項１乃至７の何れか１項に記載された方法を前記少なくとも１つのプロセッサに実行させる命令を有するコンピュータ・プログラム。
【請求項２０】
請求項１９に記載のコンピュータ・プログラムを有するキャリアであって、前記キャリアは、電気信号と、光信号と、無線信号と、コンピュータ可読記憶媒体と、のうちの１つである、キャリア。
【請求項２１】
請求項１に記載の方法であって、前記遅延トレラント送信の前記予測パンクチャリングを表す前記情報は、パンクチャリングの確率を含み、パンクチャリングの前記確率は、リソースの前記部分集合が遅延センシティブ送信によってパンクチャリングされうる確率を含む、方法。
【請求項２２】
請求項２１に記載の方法であって、前記決定された１つ以上のリンク・アダプテーション・パラメータのうちの少なくとも１つに基づいて、前記無線デバイスの前記遅延トレラント送信のために前記サブフレーム内のリソースの前記識別された部分集合のうちの１つを選択することと、パンクチャリングの前記確率が閾値レベルよりも低いならば、前記無線デバイスの前記遅延トレラント通信によるリソースの前記部分集合の再使用を引き起こすこと（ステップ５００〜５０６）と、を有する方法。
【請求項２３】
請求項２１又は２２に記載の方法であって、リソースの前記部分集合がパンクチャリングされうる前記確率を決定することは、リソースの当該部分集合についてパンクチャリング・イベントの予測回数を決定することを含む、方法。
【請求項２４】
請求項２１乃至２３の何れか１項に記載の方法であって、前記確率を決定することは、
履歴データと、
予測された将来データと、
識別された短期間又は長期間トレンドと、
予測された短期間又は長期間トレンドと、のうちの少なくとも１つに基づいて確率を決定することを含む、方法。
【請求項２５】
請求項２１乃至２４の何れか１項に記載の方法であって、リソースの各部分集合について、実際のパンクチャリング・イベントに関する情報を維持することを有する方法。
【請求項２６】
請求項２５に記載の方法であって、前記維持される情報は、パンクチャリングのためのリソースの部分集合の選択の間に使用される、方法。
【請求項２７】
請求項２５又は２６に記載の方法であって、パンクチャリング・イベントの前記予測回数に対する、パンクチャリング・イベントの前記実際の回数の比を決定することを有する方法。
【請求項２８】
請求項２７に記載の方法であって、パンクチャリングのためのリソースの前記部分集合を選択するために前記決定された比を使用することは、最小の比を有するリソースの部分集合をパンクチャリングのために選択することを含む、方法。
【請求項２９】
請求項２７又は２８に記載の方法であって、リソースの部分集合についての比が閾値を超えるかどうかを判定することと、当該判定に応じて、
リソースの当該判定に関連する前記個別の遅延トレラント通信をキャンセルすることと、
リソースの当該部分集合を、パンクチャリングのために利用可能と識別することと、を有する方法。
【請求項３０】
請求項２１乃至２９の何れか１項に記載の方法であって、前記１つ以上のリンク・アダプテーション・パラメータを決定することは、
時間及び／又は周波数を選択することと、
プリコーダ・リソースを選択することと、
拡散コードを設定することと、
反復レベルを設定することと、
電力レベルを設定することと、
アグリゲーション・レベルを設定することと、
変調レベルを設定することと、
符号化レベルを設定することと、のうちの少なくとも１つを含む、方法。
【請求項３１】
請求項８に記載の無線ノードであって、前記遅延トレラント送信の前記予測パンクチャリングを表す前記情報は、パンクチャリングの確率を含み、パンクチャリングの前記確率は、リソースの前記部分集合が遅延センシティブ送信によってパンクチャリングされうる確率を含む、無線ノード。
【請求項３２】
請求項３１に記載の無線ノードであって、前記１つ以上のプロセッサによる命令の実行によって、前記無線ノードは、前記決定された１つ以上のリンク・アダプテーション・パラメータのうちの少なくとも１つに基づいて、前記無線デバイスの前記遅延トレラント送信のために前記サブフレーム内のリソースの前記識別された部分集合のうちの１つを選択することと、パンクチャリングの前記確率が閾値レベルよりも低いならば、前記無線デバイスの前記遅延トレラント通信によるリソースの前記部分集合の再使用を引き起こすことと、を更に動作可能である、無線ノード。
【請求項３３】
請求項３１又は３２に記載の無線ノードであって、リソースの前記部分集合がパンクチャリングされうる前記個別の確率を決定することは、リソースの当該部分集合についてパンクチャリング・イベントの予測回数を決定することを含む、無線ノード。
【請求項３４】
請求項３１乃至３３の何れか１項に記載の無線ノードであって、前記確率を決定することは、
履歴データと、
予測された将来データと、
識別された短期間又は長期間トレンドと、
予測された短期間又は長期間トレンドと、のうちの少なくとも１つに基づいて確率を決定することを含む、無線ノード。
【請求項３５】
請求項３１乃至３４の何れか１項に記載の無線ノードであって、前記１つ以上のプロセッサによる前記命令の実行によって、前記無線ノードは、リソースの各部分集合について、実際のパンクチャリング・イベントに関する情報を維持することを更に動作可能である、無線ノード。
【請求項３６】
請求項３５に記載の無線ノードであって、前記維持される情報は、パンクチャリングのためのリソースの部分集合の選択の間に使用される、無線ノード。
【請求項３７】
請求項３５又は３６に記載の無線ノードであって、前記１つ以上のプロセッサによる前記命令の実行によって、前記無線ノードは、パンクチャリング・イベントの前記予測回数に対する、パンクチャリング・イベントの前記実際の回数の比を決定することを更に動作可能である、無線ノード。
【請求項３８】
請求項３７に記載の無線ノードであって、パンクチャリングのためのリソースの前記部分集合を選択するために前記決定された比を使用することは、最小の比を有するリソースの部分集合を選択することを含む、無線ノード。
【請求項３９】
請求項３７又は３８に記載の無線ノードであって、前記１つ以上のプロセッサによる前記命令の実行によって、前記無線ノードは、リソースの部分集合についての比が閾値を超えるかどうかを判定することと、前記判定に応じて、リソースの当該判定に関連する前記個別の遅延トレラント通信をキャンセルすることと、リソースの当該部分集合を、パンクチャリングのために利用可能と識別することと、を更に動作可能である、無線ノード。
【請求項４０】
請求項３１乃至３９の何れか１項に記載の無線ノードであって、前記１つ以上リンク・アダプテーション・パラメータを決定することは、
時間及び／又は周波数を選択することと、
プリコーダ・リソースを選択することと、
拡散コードを設定することと、
反復レベルを設定することと、
電力レベルを設定することと、
アグリゲーション・レベルを設定することと、
変調レベルを設定することと、
符号化レベルを設定することと、のうちの少なくとも１つを含む、無線ノード。
【請求項４１】
請求項１に記載の方法であって、リソースの各部分集合は、１つのリソースを含む、方法。
【請求項４２】
請求項１に記載の方法であって、リソースの各部分集合は、複数のリソースを含む、方法。
【請求項４３】
請求項８に記載の無線ノードであって、リソースの各部分集合は、１つのリソースを含む、無線ノード。
【請求項４４】
請求項８に記載の無線ノードであって、リソースの各部分集合は、複数のリソースを含む、無線ノード。
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
セルラ通信システムのネットワーク・ノードのためのスケジューラの動作の方法であって、
１つ以上の無線デバイスによる１つ以上の遅延トレラント送信をサブフレーム内にスケジューリングすること（ステップ３００〜３１０）を有し、前記スケジューリングすることは、各無線デバイスについて、
前記サブフレーム内の複数の利用可能リソースからリソースの少なくとも１つの部分集合を識別すること（ステップ３０２）であって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定すること（ステップ３０４）と、を含む、方法。
【請求項２】
請求項１に記載の方法であって、前記決定された１つ以上のリンク・アダプテーション・パラメータのうちの少なくとも１つに基づいて、前記無線デバイスの前記遅延トレラント送信のために前記サブフレーム内のリソースの識別された部分集合を選択すること（ステップ３０６）を更に有する方法。
【請求項３】
請求項１又は２に記載の方法であって、前記１つ以上の無線デバイスの少なくとも１つによる遅延センシティブ送信を前記サブフレーム内にスケジューリングすることを更に有する方法。
【請求項４】
請求項３に記載の方法であって、前記１つ以上の遅延トレラント送信をスケジューリングするための前記複数の利用可能リソースは、遅延センシティブ送信がスケジューリングされる前記サブフレーム内のリソースを含まない、方法。
【請求項５】
請求項３又は４に記載の方法であって、前記遅延センシティブ送信を前記サブフレーム内にスケジューリングすることは、前記サブフレーム内にスケジューリングされる各遅延センシティブ送信について、
前記サブフレーム内に未使用のリソースが存在するかどうかを判定すること（ステップ１０２）と、
前記サブフレーム内に未使用のリソースが存在するならば、前記遅延センシティブ送信のためのリソースとして、未使用のリソースを選択すること（ステップ１０４）と、
前記サブフレーム内に未使用のリソースが存在しないならば、前記遅延センシティブ送信のための前記リソースとして、遅延トレラント送信に既に割り当てられたリソースを選択すること（ステップ１０６）と、を含む方法。
【請求項６】
請求項５に記載の方法であって、前記遅延センシティブ送信のための前記リソースとして、前記遅延トレラント送信に既に割り当てられた前記リソースを選択すること（ステップ１０６）は、所定の基準に基づいて、前記遅延センシティブ送信のための前記リソースとして、遅延トレラント送信に既に割り当てられている前記サブフレーム内の複数のリソースのうちの１つを選択することを含む、方法。
【請求項７】
請求項５又は６に記載の方法であって、
前記遅延トレラント送信に割り当てられている前記サブフレーム内の前記リソースについてのパンクチャリング・レベルが所定の閾値よりも大きいかどうかを判定すること（ステップ１１０）と、
そうであるならば、前記遅延トレラント送信をキャンセルすること（ステップ１１２）と、を更に有する方法。
【請求項８】
セルラ通信ネットワークのための無線ノード（１４、１８）であって、
１つ以上の送信機（４８、６２）と、
１つ以上の受信機（５０、６４）と、
１つ以上のプロセッサ（４０、５６）と、
前記１つ以上のプロセッサによって実行可能な命令を格納するメモリ（４２、５８）と、を備え、前記無線ノードは、
１つ以上の無線デバイスによる１つ以上の遅延トレラント送信をサブフレーム内にスケジューリングすること（ステップ３００〜３１０）を動作可能であり、前記スケジューリングすることは、各無線デバイスについて、
前記サブフレーム内の複数の利用可能リソースからリソースの少なくとも１つの部分集合を識別すること（ステップ３０２）であって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定すること（ステップ３０４）と、を含む、無線ノード。
【請求項９】
請求項８に記載の無線ノードであって、前記１つ以上のプロセッサによる命令の実行によって、前記無線ノードは、前記決定された１つ以上のリンク・アダプテーション・パラメータのうちの少なくとも１つに基づいて、前記無線デバイスの前記遅延トレラント送信のために前記サブフレーム内のリソースの識別された部分集合を選択すること（ステップ３０６）を更に動作可能である、無線ノード。
【請求項１０】
請求項８又は９に記載の無線ノードであって、前記１つ以上のプロセッサによる前記命令の実行によって、前記無線ノードは、前記１つ以上の無線デバイスの少なくとも１つによる遅延センシティブ送信を前記サブフレーム内にスケジューリングすることを更に動作可能である、無線ノード。
【請求項１１】
請求項１０に記載の無線ノードであって、前記１つ以上の遅延トレラント送信をスケジューリングするための前記複数の利用可能リソースは、遅延センシティブ送信がスケジューリングされる前記サブフレーム内のリソースを含まない、無線ノード。
【請求項１２】
請求項１０又は１１に記載の無線ノードであって、前記遅延センシティブ送信を前記サブフレーム内にスケジューリングすることは、前記サブフレーム内にスケジューリングされる各遅延センシティブ送信について、
前記サブフレーム内に未使用のリソースが存在するかどうかを判定すること（ステップ１０２）と、
前記サブフレーム内に未使用のリソースが存在するならば、前記遅延センシティブ送信のためのリソースとして、未使用のリソースを選択すること（ステップ１０４）と、
前記サブフレーム内に未使用のリソースが存在しないならば、前記遅延センシティブ送信のための前記リソースとして、遅延トレラント送信に既に割り当てられたリソースを選択すること（ステップ１０６）と、を含む無線ノード。
【請求項１３】
請求項１２に記載の無線ノードであって、前記遅延センシティブ送信のための前記リソースとして、前記遅延トレラント送信に既に割り当てられた前記リソースを選択することは、所定の基準に基づいて、前記遅延センシティブ送信のための前記リソースとして、遅延トレラント送信に既に割り当てられている前記サブフレーム内の複数のリソースのうちの１つを選択することを含む、無線ノード。
【請求項１４】
請求項１２又は１３に記載の無線ノードであって、前記１つ以上のプロセッサによる命令の実行によって、前記無線ノードは、
前記遅延トレラント送信に割り当てられている前記サブフレーム内の前記リソースについてのパンクチャリング・レベルが所定の閾値よりも大きいかどうかを判定すること（ステップ１０８、１１０）と、
そうであるならば、前記遅延トレラント送信をキャンセルすること（ステップ１１２）と、を更に動作可能である、無線ノード。
【請求項１５】
セルラ通信ネットワークのための無線ノード（１４、１８）であって、前記無線ノードは、
１つ以上の無線デバイスによる１つ以上の遅延トレラント送信をサブフレーム内にスケジューリングすること（ステップ３００〜３１０）のために適合され、前記スケジューリングすることは、各無線デバイスについて、
前記サブフレーム内の複数の利用可能リソースからリソースの少なくとも１つの部分集合を識別すること（ステップ３０２）であって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定すること（ステップ３０４）と、を含む、無線ノード。
【請求項１６】
セルラ通信ネットワークのための無線ノード（１４、１８）であって、
１つ以上の無線デバイスによる１つ以上の遅延トレラント送信をサブフレーム内にスケジューリングするための手段を有し、前記手段は、
前記サブフレーム内の複数の利用可能リソースからリソースの少なくとも１つの部分集合を識別するための手段であって、各部分集合は１つ以上のリソースを含む、手段と、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定するための手段と、を含む、無線ノード。
【請求項１７】
セルラ通信ネットワークのための無線ノード（１４、１８）あって、
１つ以上の無線デバイスによる１つ以上の遅延トレラント送信をサブフレーム内にスケジューリングするように動作可能なスケジューリング・モジュール（５４、６８）を有し、前記スケジューリング・モジュールは、
前記サブフレーム内の複数の利用可能リソースからリソースの少なくとも１つの部分集合を識別するように動作可能な識別モジュール（５４、６８）であって、各部分集合は１つ以上のリソースを含む、識別モジュールと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定するように動作可能な決定モジュール（５４、６８）と、を含む、無線ノード。
【請求項１８】
無線ノード（１４、１８）の１つ以上のプロセッサ（４０、５６）によって実行された場合に、前記無線ノードに、
１つ以上の無線デバイスによる１つ以上の遅延トレラント送信をサブフレーム内にスケジューリングすることを行わせるソフトウェア命令を格納する非一時的コンピュータ可読媒体であって、前記スケジューリングすることは、各無線デバイスについて、
前記サブフレーム内の複数の利用可能リソースからリソースの少なくとも１つの部分集合を識別することであって、各部分集合は１つ以上のリソースを含む、ことと、
各識別された部分集合について、前記識別された部分集合を用いた遅延センシティブ送信による遅延トレラント送信の予測パンクチャリングを表す情報に基づいて、前記無線デバイスについて１つ以上のリンク・アダプテーション・パラメータを決定することと、を含む、非一時的コンピュータ可読媒体。
【請求項１９】
少なくとも１つのプロセッサ（４０、５６）によって実行された場合に、請求項１乃至７の何れか１項に記載された方法を前記少なくとも１つのプロセッサに実行させる命令を有するコンピュータ・プログラム。
【請求項２０】
請求項１９に記載のコンピュータ・プログラムを有するコンピュータ可読記憶媒体。
【請求項２１】
請求項１に記載の方法であって、前記遅延トレラント送信の前記予測パンクチャリングを表す前記情報は、パンクチャリングの確率を含み、パンクチャリングの前記確率は、リソースの前記部分集合が遅延センシティブ送信によってパンクチャリングされうる確率を含む、方法。
【請求項２２】
請求項２１に記載の方法であって、前記決定された１つ以上のリンク・アダプテーション・パラメータのうちの少なくとも１つに基づいて、前記無線デバイスの前記遅延トレラント送信のために前記サブフレーム内のリソースの前記識別された部分集合のうちの１つを選択することと、パンクチャリングの前記確率が閾値レベルよりも低いならば、前記無線デバイスの前記遅延トレラント送信によるリソースの前記部分集合の再使用を引き起こすこと（ステップ５００〜５０６）と、を有する方法。
【請求項２３】
請求項２１又は２２に記載の方法であって、リソースの前記部分集合がパンクチャリングされうる前記確率を決定することは、リソースの当該部分集合についてパンクチャリング・イベントの予測回数を決定することを含む、方法。
【請求項２４】
請求項２１乃至２３の何れか１項に記載の方法であって、前記確率を決定することは、
履歴データと、
予測された将来データと、
識別された短期間又は長期間トレンドと、
予測された短期間又は長期間トレンドと、のうちの少なくとも１つに基づいて確率を決定することを含む、方法。
【請求項２５】
請求項２１乃至２４の何れか１項に記載の方法であって、リソースの各部分集合について、実際のパンクチャリング・イベントに関する情報を維持することを有する方法。
【請求項２６】
請求項２５に記載の方法であって、前記維持される情報は、パンクチャリングのためのリソースの部分集合の選択の間に使用される、方法。
【請求項２７】
請求項２５又は２６に記載の方法であって、パンクチャリング・イベントの予測回数に対する、パンクチャリング・イベントの実際の回数の比を決定することを有する方法。
【請求項２８】
請求項２７に記載の方法であって、パンクチャリングのためのリソースの前記部分集合を選択するために前記決定された比を使用することは、最小の比を有するリソースの部分集合をパンクチャリングのために選択することを含む、方法。
【請求項２９】
請求項２７又は２８に記載の方法であって、リソースの部分集合についての比が閾値を超えるかどうかを判定することと、当該判定に応じて、
リソースの当該判定に関連する前記遅延トレラント送信をキャンセルすることと、
リソースの当該部分集合を、パンクチャリングのために利用可能と識別することと、を有する方法。
【請求項３０】
請求項２１乃至２９の何れか１項に記載の方法であって、前記１つ以上のリンク・アダプテーション・パラメータを決定することは、
時間及び／又は周波数を選択することと、
プリコーダ・リソースを選択することと、
拡散コードを設定することと、
反復レベルを設定することと、
電力レベルを設定することと、
アグリゲーション・レベルを設定することと、
変調レベルを設定することと、
符号化レベルを設定することと、のうちの少なくとも１つを含む、方法。
【請求項３１】
請求項８に記載の無線ノードであって、前記遅延トレラント送信の前記予測パンクチャリングを表す前記情報は、パンクチャリングの確率を含み、パンクチャリングの前記確率は、リソースの前記部分集合が遅延センシティブ送信によってパンクチャリングされうる確率を含む、無線ノード。
【請求項３２】
請求項３１に記載の無線ノードであって、前記１つ以上のプロセッサによる命令の実行によって、前記無線ノードは、前記決定された１つ以上のリンク・アダプテーション・パラメータのうちの少なくとも１つに基づいて、前記無線デバイスの前記遅延トレラント送信のために前記サブフレーム内のリソースの前記識別された部分集合のうちの１つを選択することと、パンクチャリングの前記確率が閾値レベルよりも低いならば、前記無線デバイスの前記遅延トレラント送信によるリソースの前記部分集合の再使用を引き起こすことと、を更に動作可能である、無線ノード。
【請求項３３】
請求項３１又は３２に記載の無線ノードであって、リソースの前記部分集合がパンクチャリングされうる前記確率を決定することは、リソースの当該部分集合についてパンクチャリング・イベントの予測回数を決定することを含む、無線ノード。
【請求項３４】
請求項３１乃至３３の何れか１項に記載の無線ノードであって、前記確率を決定することは、
履歴データと、
予測された将来データと、
識別された短期間又は長期間トレンドと、
予測された短期間又は長期間トレンドと、のうちの少なくとも１つに基づいて確率を決定することを含む、無線ノード。
【請求項３５】
請求項３１乃至３４の何れか１項に記載の無線ノードであって、前記１つ以上のプロセッサによる前記命令の実行によって、前記無線ノードは、リソースの各部分集合について、実際のパンクチャリング・イベントに関する情報を維持することを更に動作可能である、無線ノード。
【請求項３６】
請求項３５に記載の無線ノードであって、前記維持される情報は、パンクチャリングのためのリソースの部分集合の選択の間に使用される、無線ノード。
【請求項３７】
請求項３５又は３６に記載の無線ノードであって、前記１つ以上のプロセッサによる前記命令の実行によって、前記無線ノードは、パンクチャリング・イベントの予測回数に対する、パンクチャリング・イベントの実際の回数の比を決定することを更に動作可能である、無線ノード。
【請求項３８】
請求項３７に記載の無線ノードであって、パンクチャリングのためのリソースの前記部分集合を選択するために前記決定された比を使用することは、最小の比を有するリソースの部分集合を選択することを含む、無線ノード。
【請求項３９】
請求項３７又は３８に記載の無線ノードであって、前記１つ以上のプロセッサによる前記命令の実行によって、前記無線ノードは、リソースの部分集合についての比が閾値を超えるかどうかを判定することと、当該判定に応じて、リソースの当該判定に関連する前記遅延トレラント送信をキャンセルすることと、リソースの当該部分集合を、パンクチャリングのために利用可能と識別することと、を更に動作可能である、無線ノード。
【請求項４０】
請求項３１乃至３９の何れか１項に記載の無線ノードであって、前記１つ以上リンク・アダプテーション・パラメータを決定することは、
時間及び／又は周波数を選択することと、
プリコーダ・リソースを選択することと、
拡散コードを設定することと、
反復レベルを設定することと、
電力レベルを設定することと、
アグリゲーション・レベルを設定することと、
変調レベルを設定することと、
符号化レベルを設定することと、のうちの少なくとも１つを含む、無線ノード。
【請求項４１】
請求項１に記載の方法であって、リソースの各部分集合は、１つのリソースを含む、方法。
【請求項４２】
請求項１に記載の方法であって、リソースの各部分集合は、複数のリソースを含む、方法。
【請求項４３】
請求項８に記載の無線ノードであって、リソースの各部分集合は、１つのリソースを含む、無線ノード。
【請求項４４】
請求項８に記載の無線ノードであって、リソースの各部分集合は、複数のリソースを含む、無線ノード。
【国際調査報告】
2019509676.tif 000015
2019509676.tif 000016
2019509676.tif 000017